(57)【要約】本開示の種々の実施形態に係るデュアルカメラ音声／ビデオ（Ａ／Ｖ）記録通信装置が提供される。一実施形態では、デュアルカメラＡ／Ｖ記録通信装置は、第１のカメラ、引き渡しゾーンの画像データを取り込むように構成された第２のカメラ、通信モジュール、及び処理モジュールを含み、処理モジュールは、プロセッサ及びゾーンモニタアプリケーションを含み、ゾーンモニタアプリケーションは、第２のカメラにより取り込まれた引き渡しゾーンの画像データを使用し、小包がいつ引き渡しゾーンに置かれたのかを判断し、第２のカメラにより取り込まれた引き渡しゾーンの画像データを使用し、小包がいつ引き渡しゾーンから取り除かれたのかを判断し、小包が引き渡しゾーンに置かれたとき、通信モジュールを使用し、ユーザーのクライアントデバイスに通知を送信するようにプロセッサを構成する。【選択図】図２４
2019535067.tif 000002
【特許請求の範囲】
【請求項１】
デュアルカメラ音声／ビデオ（Ａ／Ｖ）記録通信装置であって、
第１のカメラと、
引き渡しゾーンの画像データを取り込むように構成された第２のカメラと、
通信モジュールと、
前記第１のカメラ、前記第２のカメラ、及び前記通信モジュールに動作可能なように接続される処理モジュールであって、
プロセッサと、
ゾーンモニタアプリケーションであって、
前記第２のカメラにより取り込まれた前記引き渡しゾーンの前記画像データを使用し、小包がいつ前記引き渡しゾーンに置かれたのかを判断する、
前記第２のカメラにより取り込まれた前記引き渡しゾーンの前記画像データを使用し、前記小包がいつ前記引き渡しゾーンから取り除かれたのかを判断する、及び
前記小包が前記引き渡しゾーンに置かれたとき、前記通信モジュールを使用し、ユーザーのクライアントデバイスに通知を送信するように前記プロセッサを構成する
ゾーンモニタアプリケーションと、
を備える処理モジュールと、
を備える、前記デュアルカメラ音声／ビデオ（Ａ／Ｖ）記録通信装置。
【請求項２】
前記ゾーンモニタアプリケーションが、前記小包の前記引き渡しゾーンからの除去が許可されていたのかどうかを判断するように前記プロセッサをさらに構成する、請求項１に記載のデュアルカメラＡ／Ｖ記録通信装置。
【請求項３】
前記ゾーンモニタアプリケーションが、前記第２のカメラにより取り込まれた前記引き渡しゾーンの前記画像データを使用し、前記小包の移動の方向を検出することによって、前記小包の引き渡しゾーンからの除去が許可されていたのかどうかを判断するように前記プロセッサをさらに構成する、請求項２に記載のデュアルカメラＡ／Ｖ記録通信装置。
【請求項４】
前記ゾーンモニタアプリケーションが、前記小包が前記引き渡しゾーンから取り除かれた時刻に基づいて、前記小包の前記引き渡しゾーンからの除去が許可されていたのかどうかを判断するように前記プロセッサをさらに構成する、請求項２に記載のデュアルカメラＡ／Ｖ記録通信装置。
【請求項５】
前記ゾーンモニタアプリケーションが、前記小包の前記引き渡しゾーンからの除去が許可されていなかった旨の判断時に少なくとも１つのアラートを生成するように前記プロセッサをさらに構成する、請求項２に記載のデュアルカメラＡ／Ｖ記録通信装置。
【請求項６】
スピーカをさらに備え、前記スピーカが、前記処理モジュールに動作可能なように接続され、前記生成された少なくとも１つのアラートに対応して音声記録を再生するように構成される、請求項５に記載のデュアルカメラＡ／Ｖ記録通信装置。
【請求項７】
前記ゾーンモニタアプリケーションが、前記通信モジュールを使用し、前記ユーザーのクライアントデバイスに前記生成された少なくとも１つのアラートを送信するように前記プロセッサをさらに構成する、請求項５に記載のデュアルカメラＡ／Ｖ記録通信装置。
【請求項８】
前記ゾーンモニタアプリケーションが、第１のときに前記第２のカメラにより取り込まれた前記引き渡しゾーンの前記画像データと、前記第１のときの後の第２のときに前記第２のカメラにより取り込まれた前記引き渡しゾーンの前記画像データとを比較することによって、前記小包がいつ前記引き渡しゾーンに置かれたのかを判断するようにさらに前記プロセッサを構成する、請求項１に記載のデュアルカメラＡ／Ｖ記録通信装置。
【請求項９】
前記ゾーンモニタアプリケーションが、第１のときに前記第２のカメラにより取り込まれた前記引き渡しゾーンの前記画像データと、前記第１のときの後の第２のときに前記第２のカメラにより取り込まれた前記引き渡しゾーンの前記画像データとを比較することによって、前記小包がいつ前記引き渡しゾーンから取り除かれたのかを判断するように前記プロセッサをさらに構成する、請求項１に記載のデュアルカメラＡ／Ｖ記録通信装置。
【請求項１０】
前記第２のカメラにより取り込まれた前記引き渡しゾーンの前記画像データが、前記小包上に位置する自動識別データキャプチャ（ＡＩＤＣ）データを含む、請求項１に記載のデュアルカメラＡ／Ｖ記録通信装置。
【請求項１１】
前記ＡＩＤＣデータがバーコードを含む、請求項１０に記載のデュアルカメラＡ／Ｖ記録通信装置。
【請求項１２】
前記ＡＩＤＣデータがマトリックスコードを含む、請求項１０に記載のデュアルカメラＡ／Ｖ記録通信装置。
【請求項１３】
前記ＡＩＤＣデータがボーコードを含む、請求項１０に記載のデュアルカメラＡ／Ｖ記録通信装置。
【請求項１４】
前記ゾーンモニタアプリケーションが、前記ＡＩＤＣデータを使用することによって、前記小包がいつ前記引き渡しゾーンに置かれたのかを判断するように前記プロセッサをさらに構成する、請求項１０に記載のデュアルカメラＡ／Ｖ記録通信装置。
【請求項１５】
前記ゾーンモニタアプリケーションが、前記ＡＩＤＣデータを使用することによって、前記小包がいつ前記引き渡しゾーンから取り除かれたのかを判断するように前記プロセッサをさらに構成する、請求項１０に記載のデュアルカメラＡ／Ｖ記録通信装置。
【請求項１６】
無線自動識別（ＲＦＩＤ）読み取り装置をさらに備え、前記ＲＦＩＤ読み取り装置が、前記処理モジュールに動作可能なように接続され、前記小包上に位置するＲＦＩＤタグからＲＦＩＤデータを取り込むように構成される、請求項１に記載のデュアルカメラＡ／Ｖ記録通信装置。
【請求項１７】
前記ゾーンモニタアプリケーションが、前記ＲＦＩＤデータを使用することによって、前記小包がいつ前記引き渡しゾーンに置かれたのかを判断するように前記プロセッサをさらに構成する、請求項１６に記載のデュアルカメラＡ／Ｖ記録通信装置。
【請求項１８】
前記ゾーンモニタアプリケーションが、前記ＲＦＩＤデータを使用することによって、前記小包がいつ前記引き渡しゾーンから取り除かれたのかを判断するように前記プロセッサをさらに構成する、請求項１６に記載のデュアルカメラＡ／Ｖ記録通信装置。
【請求項１９】
前記ゾーンモニタアプリケーションが、前記小包を配達した運送業者から小包追跡データを受け取ることによって、前記小包がいつ前記引き渡しゾーンに置かれたのかを判断するように前記プロセッサをさらに構成する、請求項１に記載のデュアルカメラＡ／Ｖ記録通信装置。
【請求項２０】
前記ゾーンモニタアプリケーションが、前記通信モジュールを使用し、小包追跡データを受け取るように前記プロセッサをさらに構成する、請求項１に記載のデュアルカメラＡ／Ｖ記録通信装置。
【請求項２１】
前記ゾーンモニタアプリケーションが、前記受け取った小包追跡データに基づいて、前記小包の予想配達時間まで前記第２のカメラを低電力モードに設定するように前記プロセッサをさらに構成する、請求項２０に記載のデュアルカメラＡ／Ｖ記録通信装置。
【請求項２２】
デュアルカメラ音声／ビデオ（Ａ／Ｖ）記録通信装置を使用し、引き渡しゾーンを監視するための方法であって、前記デュアルカメラＡ／Ｖ記録通信装置が、第１のカメラと、前記引き渡しゾーンの画像データを取り込むように構成された第２のカメラと、通信モジュールと、前記第１のカメラ、前記第２のカメラ、及び前記通信モジュールに動作可能なように接続された処理モジュールとを含み、
前記第２のカメラにより取り込まれた前記引き渡しゾーンの画像データを使用し、小包がいつ前記引き渡しゾーンに置かれたのかを判断することと、
前記第２のカメラにより取り込まれた前記引き渡しゾーンの前記画像データを使用し、前記小包がいつ前記引き渡しゾーンから取り除かれたのかを判断することと、
前記小包が前記引き渡しゾーンに置かれたとき、前記通信モジュールを使用し、ユーザーのクライアントデバイスに通知を送信することと
を含む、前記方法。
【請求項２３】
前記小包の前記引き渡しゾーンからの除去が許可されていたのかどうかを判断することをさらに含む、請求項２２に記載の方法。
【請求項２４】
前記第２のカメラにより取り込まれた前記引き渡しゾーンの前記画像データを使用し、前記小包の移動の方向を検出することによって、前記小包の前記引き渡しゾーンからの除去が許可されていたのかどうかを判断することをさらに含む、請求項２３に記載の方法。
【請求項２５】
前記小包が前記引き渡しゾーンから取り除かれた時刻に基づいて、前記小包の前記引き渡しゾーンからの除去が許可されていたのかどうかを判断することをさらに含む、請求項２３に記載の方法。
【請求項２６】
前記小包の前記引き渡しゾーンからの前記除去が許可されていなかった旨の判断時に少なくとも１つのアラートを生成することをさらに含む、請求項２３に記載の方法。
【請求項２７】
前記デュアルカメラＡ／Ｖ記録通信装置が、前記処理モジュールに動作可能なように接続されたスピーカをさらに含み、前記スピーカが、前記生成された少なくとも１つのアラートに対応して音声記録を再生するように構成される、請求項２６に記載の方法。
【請求項２８】
前記通信モジュールを使用し、前記ユーザーのクライアントデバイスに前記生成された少なくとも１つのアラートを送信することをさらに含む、請求項２６に記載の方法。
【請求項２９】
第１のときに前記第２のカメラにより取り込まれた前記引き渡しゾーンの前記画像データと、前記第１のときの後の第２のときに前記第２のカメラにより取り込まれた前記引き渡しゾーンの前記画像データとを比較することによって、前記小包がいつ前記引き渡しゾーンに置かれたのかを判断することをさらに含む、請求項２２に記載の方法。
【請求項３０】
第１のときに前記第２のカメラにより取り込まれた前記引き渡しゾーンの前記画像データと、前記第１のときの後の第２のときに前記第２のカメラにより取り込まれた前記引き渡しゾーンの前記画像データとを比較することによって、前記小包がいつ前記引き渡しゾーンから取り除かれたのかを判断することをさらに含む、請求項２２に記載の方法。
【請求項３１】
前記第２のカメラにより取り込まれた前記引き渡しゾーンの前記画像データが、前記小包上に位置する自動識別データキャプチャ（ＡＩＤＣ）データを含む、請求項２２に記載の方法。
【請求項３２】
前記ＡＩＤＣデータがバーコードを含む、請求項３１に記載の方法。
【請求項３３】
前記ＡＩＤＣデータがマトリックスコードを含む、請求項３１に記載の方法。
【請求項３４】
前記ＡＩＤＣデータがボーコードを含む、請求項３１に記載の方法。
【請求項３５】
前記ＡＩＤＣデータを使用することによって、前記小包がいつ前記引き渡しゾーンに置かれたのかを判断することをさらに含む、請求項３１に記載の方法。
【請求項３６】
前記ＡＩＤＣデータを使用することによって、前記小包がいつ前記引き渡しゾーンから取り除かれたのかを判断することをさらに含む、請求項３１に記載の方法。
【請求項３７】
前記デュアルカメラＡ／Ｖ記録通信装置が、無線自動識別（ＲＦＩＤ）読み取り装置をさらに備え、前記ＲＦＩＤ読み取り装置が前記処理モジュールに動作可能なように接続され、前記小包上に位置するＲＦＩＤタグからＲＦＩＤデータを取り込むように構成される、請求項２２に記載の方法。
【請求項３８】
前記ＲＦＩＤデータを使用することによって、前記小包がいつ前記引き渡しゾーンに置かれたのかを判断することをさらに含む、請求項３７に記載の方法。
【請求項３９】
前記ＲＦＩＤデータを使用することによって、前記小包がいつ前記引き渡しゾーンから取り除かれたのかを判断することをさらに含む、請求項３7に記載の方法。
【請求項４０】
前記小包を配達した運送業者から小包追跡データを受け取ることによって、前記小包がいつ前記引き渡しゾーンに置かれたのかを判断することをさらに含む、請求項２２に記載の方法。
【請求項４１】
前記通信モジュールを使用し、小包追跡データを受け取ることを含む、請求項２２に記載の方法。
【請求項４２】
前記受け取った小包追跡データに基づいて、前記小包の予想配達時間まで前記第２のカメラを低電力モードに設定することをさらに含む、請求項４１に記載の方法。
【発明の詳細な説明】
【技術分野】
【０００１】
関連出願の相互参照
本願は、２０１６年９月２１日に出願された仮出願番号第６２／３９７，６２６号の優先権を主張し、その全内容はこれにより参照により本明細書に援用される。
【０００２】
本実施形態は、無線Ａ／Ｖ記録通信ドアベルシステムを含んだ、無線音声／ビデオ（Ａ／Ｖ）記録通信装置に関する。特に、本実施形態は、係る装置の小包窃盗を抑止する、及び／または小包窃盗犯を識別し、逮捕する能力を強化する無線Ａ／Ｖ記録通信装置の機能性の改善に関する。
【背景技術】
【０００３】
住居の安全は、多くの住居の所有者及び賃借人にとっての関心事である。自分の家を保護または監視することを求める者は、多くの場合、訪問者、例えば、外部のドアまたは通用門を訪問する者とのビデオ及び音声通信を有することを望む。例えばドアベル等の音声／ビデオ（Ａ／Ｖ）記録通信装置は、このような機能性を提供し、犯罪の検出及び防止に役立つ場合もある。例えば、Ａ／Ｖ記録通信装置によって取り込まれた音声及び／またはビデオは、クラウドにアップロードし、リモートサーバに記録することができる。Ａ／Ｖビデオのその後のレビューは、住居侵入窃盗及び他の犯罪の犯人を捕捉する際の法の執行に役立つことがある。さらに、住居への入口におけるドアベルユニット等の住居の外部にある１つ以上のＡ／Ｖ記録通信装置の存在は、窃盗志望者に対する強力な抑止力としての機能も果たす。
【発明の概要】
【０００４】
無線音声／ビデオ（Ａ／Ｖ）記録通信装置用のこの小包窃盗抑止の種々の実施形態は、いくつかの特徴を有し、特徴のうちのどれ１つとして単独でその所望の属性の原因とはならない。以下に続く特許請求の範囲によって表される本実施形態の範囲を限定することなく、そのより顕著な特徴がここで簡潔に説明される。この説明を考慮した後、特に「発明を実施するための形態」と題する項を読んだ後に、本実施形態の特徴が本明細書で説明される優位点をどのように提供するかを理解するであろう。
【０００５】
本実施形態の一態様は、小包窃盗が悪質かつ持続する問題である旨の認識を含む。配達時に誰も応対に出ないとき、小包運送業者は、頻繁に住宅の玄関の近くに小包を置きっぱなしにする。これらの小包は、多くの場合通りから明確に見えるので、それらは窃盗に遭いやすい。この問題は、オンライン取引の蔓延で悪化してきたにすぎず、多くの消費者がオンラインで祝日の買い物を行うとき、主要な休日のあたりで特に一般的である。したがって、無線Ａ／Ｖ記録通信装置の機能性が、小包窃盗を抑止する及び／または小包窃盗犯を識別し、逮捕するために活用され得る場合、有利であるだろう。また、無線Ａ／Ｖ記録通信装置の機能性を、小包窃盗を抑止する、及び／または小包窃盗犯を識別し、逮捕するための１つ以上の方法で強化できる場合も有利であるだろう。本実施形態は、以下に説明するように、これらの優位点及び強化点を提供する。
【０００６】
第１の態様では、デュアルカメラ音声／ビデオ（Ａ／Ｖ）記録通信装置が提供され、装置は、第１のカメラ、引き渡しゾーンの画像データを取り込むように構成された第２のカメラ、通信モジュール、第１のカメラ、第２のカメラ、及び通信モジュールに動作可能なように接続された処理モジュールを含み、処理モジュールは、プロセッサ及びゾーンモニタアプリケーションを含み、ゾーンモニタアプリケーションは、第２のカメラにより取り込まれた引き渡しゾーンの画像データを使用し、小包がいつ引き渡しゾーンに置かれたのかを判断し、第２のカメラにより取り込まれた引き渡しゾーンの画像データを使用し、小包がいつ引き渡しゾーンから取り除かれたのかを判断し、小包が引き渡しゾーンに置かれたとき、通信モジュールを使用し、ユーザーのクライアントデバイスに通知を送信するようにプロセッサを構成する。
【０００７】
第１の態様の実施形態では、ゾーンモニタアプリケーションは、さらに、小包の引き渡しゾーンからの除去が許可されていたのかどうかを判断するようにプロセッサを構成する。
【０００８】
第１の態様の別の実施形態では、ゾーンモニタアプリケーションは、さらに、第２のカメラにより取り込まれた引き渡しゾーンの画像データを使用し、小包の移動の方向を検出することによって、小包の引き渡しゾーンからの除去が許可されていたのかどうかを判断するようにプロセッサを構成する。
【０００９】
第１の態様の別の実施形態では、ゾーンモニタアプリケーションは、さらに、小包が引き渡しゾーンから取り除かれた時刻に基づいて、小包の引き渡しゾーンからの除去が許可されていたのかどうかを判断するようにプロセッサを構成する。
【００１０】
第１の態様の別の実施形態では、ゾーンモニタアプリケーションは、さらに、小包の引き渡しゾーンからの除去が許可されていなかった旨の判断時に少なくとも１つのアラートを生成するようにプロセッサを構成する。
【００１１】
第１の態様の別の実施形態は、さらにスピーカを含み、スピーカは処理モジュールに動作可能なように接続され、生成された少なくとも１つのアラートに対応して音声記録を再生するように構成される。
【００１２】
第１の態様の別の実施形態では、ゾーンモニタアプリケーションは、さらに、通信モジュールを使用し、ユーザーのクライアントデバイスに生成された少なくとも１つのアラートを送信するようにプロセッサを構成する。
【００１３】
第１の態様の別の実施形態では、ゾーンモニタアプリケーションは、さらに、第１のときに第２のカメラにより取り込まれた引き渡しゾーンの画像データと、第１のときの後の第２のときに第２のカメラにより取り込まれた引き渡しゾーンの画像データとを比較することによって、小包がいつ引き渡しゾーンに置かれたのかを判断するようにプロセッサを構成する。
【００１４】
第１の態様の別の実施形態では、ゾーンモニタアプリケーションは、さらに、第１のときに第２のカメラにより取り込まれた引き渡しゾーンの画像データと、第１のときの後の第２のときに第２のカメラにより取り込まれた引き渡しゾーンの画像データとを比較することによって、小包がいつ引き渡しゾーンから取り除かれたのかを判断するようにプロセッサを構成する。
【００１５】
第１の態様の別の実施形態では、第２のカメラにより取り込まれた引き渡しゾーンの画像データは、小包上に位置する自動識別データキャプチャ（ＡＩＤＣ）データを含む。
【００１６】
第１の態様の別の実施形態では、ＡＩＤＣデータはバーコードを含む。
【００１７】
第１の態様の別の実施形態では、ＡＩＤＣデータはマトリックスコードを含む。
【００１８】
第１の態様の別の実施形態では、ＡＩＤＣデータはボーコードを含む。
【００１９】
第１の態様の別の実施形態では、ゾーンモニタアプリケーションは、さらに、ＡＩＤＣデータを使用することによって、小包がいつ引き渡しゾーンに置かれたのかを判断するようにプロセッサを構成する。
【００２０】
第１の態様の別の実施形態では、ゾーンモニタアプリケーションは、さらに、ＡＩＤＣデータを使用することによって、小包がいつ引き渡しゾーンから取り除かれたのかを判断するようにプロセッサを構成する。
【００２１】
第１の態様の別の実施形態は、無線自動識別（ＲＦＩＤ）読み取り装置をさらに含み、ＲＦＩＤ読み取り装置は、処理モジュールに動作可能なように接続され、小包上に位置するＲＦＩＤタグからＲＦＩＤデータを取り込むように構成される。
【００２２】
第１の態様の別の実施形態では、ゾーンモニタアプリケーションは、さらに、ＲＦＩＤデータを使用することによって、小包がいつ引き渡しゾーンに置かれたのかを判断するようにプロセッサを構成する。
【００２３】
第１の態様の別の実施形態では、ゾーンモニタアプリケーションは、さらに、ＲＦＩＤデータを使用することによって、小包がいつ引き渡しゾーンから取り除かれたのかを判断するようにプロセッサを構成する。
【００２４】
第１の態様の別の実施形態では、ゾーンモニタアプリケーションは、さらに、小包を配達した運送業者から小包追跡データを受け取ることによって、小包がいつ引き渡しゾーンに置かれたのかを判断するようにプロセッサを構成する。
【００２５】
第１の態様の別の実施形態では、ゾーンモニタアプリケーションは、さらに、通信モジュールを使用し、小包追跡データを受け取るようにプロセッサを構成する。
【００２６】
第１の態様の別の実施形態では、ゾーンモニタアプリケーションは、さらに、受け取られた小包追跡データに基づいて、小包の予想配達時間まで第２のカメラを低電力モードに設定するようにプロセッサを構成する。
【００２７】
第２の態様では、デュアルカメラ音声／ビデオ（Ａ／Ｖ）記録通信装置を使用し、引き渡しゾーンを監視するための方法が提供され、デュアルカメラＡ／Ｖ記録通信装置は、第１のカメラ、引き渡しゾーンの画像データを取り込むように構成された第２のカメラ、通信モジュール、第１のカメラ、第２のカメラ、及び通信モジュールに動作可能なように接続された処理モジュールを含み、方法は、第２のカメラにより取り込まれた引き渡しゾーンの画像データを使用し、小包がいつ引き渡しゾーンに置かれたのかを判断することと、第２のカメラにより取り込まれた引き渡しゾーンの画像データを使用し、小包がいつ引き渡しゾーンから取り除かれたのかを判断することと、小包が引き渡しゾーンに置かれたとき、通信モジュールを使用し、ユーザーのクライアントデバイスに通知を送信することを含む。
【００２８】
第２の態様の実施形態は、さらに、小包の引き渡しゾーンからの除去が許可されていたのかどうかを判断することを含む。
【００２９】
第２の態様の別の実施形態は、さらに、第２のカメラにより取り込まれた引き渡しゾーンの画像データを使用し、小包の移動の方向を検出することによって、小包の引き渡しゾーンからの除去が許可されていたのかどうかを判断することを含む。
【００３０】
第２の態様の別の実施形態は、さらに、小包が引き渡しゾーンから取り除かれた時刻に基づいて、小包の引き渡しゾーンからの除去が許可されていたのかどうかを判断することを含む。
【００３１】
第２の態様の別の実施形態は、さらに、小包の引き渡しゾーンからの除去が許可されていなかった旨の判断時に少なくとも１つのアラートを生成することを含む。
【００３２】
第２の態様の別の実施形態では、デュアルカメラＡ／Ｖ記録通信装置は、さらに、処理モジュールに動作可能なように接続されたスピーカを含み、スピーカは、生成された少なくとも１つのアラートに対応して音声記録を再生するように構成される。
【００３３】
第２の態様の別の実施形態は、さらに、通信モジュールを使用し、ユーザーのクライアントデバイスに生成された少なくとも１つのアラートを送信することを含む。
【００３４】
第２の態様の別の実施形態は、さらに、第１のときに第２のカメラにより取り込まれた引き渡しゾーンの画像データと、第１のときの後の第２のときに第２のカメラにより取り込まれた引き渡しゾーンの画像データとを比較することによって、小包がいつ引き渡しゾーンに置かれたのかを判断することを含む。
【００３５】
第２の態様の別の実施形態は、さらに、第１のときに第２のカメラにより取り込まれた引き渡しゾーンの画像データと、第１のときの後の第２のときに第２のカメラにより取り込まれた引き渡しゾーンの画像データとを比較することによって、小包がいつ引き渡しゾーンから取り除かれたのかを判断することを含む。
【００３６】
第２の態様の別の実施形態では、第２のカメラにより取り込まれた引き渡しゾーンの画像データは、小包上に位置する自動識別データキャプチャ（ＡＩＤＣ）データを含む。
【００３７】
第２の態様の別の実施形態では、ＡＩＤＣデータはバーコードを含む。
【００３８】
第２の態様の別の実施形態では、ＡＩＤＣデータはマトリックスコードを含む。
【００３９】
第２の態様の別の実施形態では、ＡＩＤＣデータはボーコードを含む。
【００４０】
第２の態様の別の実施形態は、さらに、ＡＩＤＣデータを使用することによって、小包がいつ引き渡しゾーンに置かれたのかを判断することを含む。
【００４１】
第２の態様の別の実施形態は、さらに、ＡＩＤＣデータを使用することによって、小包がいつ引き渡しゾーンから取り除かれたのかを判断することを含む。
【００４２】
第２の態様の別の実施形態では、デュアルカメラＡ／Ｖ記録通信装置は、無線自動識別（ＲＦＩＤ）読み取り装置をさらに含み、ＲＦＩＤ読み取り装置は、処理モジュールに動作可能なように接続され、小包上に位置するＲＦＩＤタグからＲＦＩＤデータを取り込むように構成される。
【００４３】
第２の態様の別の実施形態は、さらに、ＲＦＩＤデータを使用することによって、小包がいつ引き渡しゾーンに置かれたのかを判断することを含む。
【００４４】
第２の態様の別の実施形態は、さらに、ＲＦＩＤデータを使用することによって、小包がいつ引き渡しゾーンから取り除かれたのかを判断することを含む。
【００４５】
第２の態様の別の実施形態は、さらに、小包を配達した運送業者から小包追跡データを受け取ることによって、小包がいつ引き渡しゾーンに置かれたのかを判断することを含む。
【００４６】
第２の態様の別の実施形態は、さらに、通信モジュールを使用し、小包追跡データを受け取ることを含む。
【００４７】
第２の態様の別の実施形態は、さらに、受け取った小包追跡データに基づいて、小包の予想配達時間まで第２のカメラを低電力モードに設定することを含む。
【００４８】
無線音声／ビデオ（Ａ／Ｖ）記録通信装置のための本小包窃盗抑止の種々の実施形態は、ここで、有利な特徴を目立たせることを重視して詳細に説明される。これらの実施形態は、例示のみを目的とする添付図面に示される、無線音声／ビデオ（Ａ／Ｖ）記録通信装置のための新規かつ非自明的な小包窃盗抑止を示す。それらの図面は、以下の図面を含んでおり、そこでは、同一の参照符号が同一の部分を示す。
【図面の簡単な説明】
【００４９】
【図１】本開示の種々の態様に係る無線音声／ビデオ（Ａ／Ｖ）記録通信装置によって取り込まれるＡ／Ｖコンテンツをストリーミング配信し、記憶するためのシステムを示す機能ブロック図である。
【図２】本開示の種々の実施形態に係る無線Ａ／Ｖ記録通信装置からＡ／Ｖコンテンツをストリーミング配信し、記憶するためのプロセスを示すフローチャートである。
【図３】本開示によるＡ／Ｖ記録通信装置の実施形態を示す機能ブロック図である。
【図４】本開示の態様に係るＡ／Ｖ記録通信装置の実施形態の正面斜視図である。
【図５】図４のＡ／Ｖ記録通信装置の背面斜視図である。
【図６】取り除かれたカバーを示す、図４のＡ／Ｖ記録通信装置の部分的に分解された正面斜視図である。
【図７】図４のＡ／Ｖ記録通信装置の種々の内部構成要素の正面斜視図である。
【図８】図４のＡ／Ｖ記録通信装置の種々の内部構成要素の正面斜視図である。
【図９】図４のＡ／Ｖ記録通信装置の種々の内部構成要素の正面斜視図である。
【図１０】図４の線１０−１０を通して解釈される図４のＡ／Ｖ記録通信装置の右側断面図である。
【図１１】図４のＡ／Ｖ記録通信装置の種々の内部構成要素の背面斜視図である。
【図１２】図４のＡ／Ｖ記録通信装置の種々の内部構成要素の背面斜視図である。
【図１３】図４のＡ／Ｖ記録通信装置の種々の内部構成要素の背面斜視図である。
【図１４】本開示の種々の態様に係る無線Ａ／Ｖ記録通信装置を用いて小包窃盗を抑止するためのプロセスの実施形態を示すフローチャートである。
【図１５】本開示の種々の態様に係る無線Ａ／Ｖ記録通信装置を用いて小包窃盗を抑止するためのプロセスの実施形態を示すシーケンス図である。
【図１６】バーコードの正面図である。
【図１７】マトリックスコードの正面図である。
【図１８】ボーコードの正面図である。
【図１９】無線自動識別（ＲＦＩＤ）タグの正面図である。
【図２０】本開示の種々の態様に係る無線Ａ／Ｖ記録通信装置を用いて小包窃盗を抑止するためのプロセスの実施形態を示すシーケンス図である。
【図２１】スマートカードの正面図である。
【図２２】磁気ストライプカードの背面図である。
【図２３】本開示の種々の態様に係る無線Ａ／Ｖ記録通信装置を用いて小包窃盗を抑止するためのプロセスの実施形態を示すフローチャートである。
【図２４】本開示の種々の態様に係るデュアルカメラＡ／Ｖ記録通信装置を使用する小包窃盗抑止用のシステムの一実施形態の図である。
【図２５】本開示の態様に係るデュアルカメラＡ／Ｖ記録通信装置の一実施形態の機能ブロック図である。
【図２６】本開示の態様に係るバックエンドサーバの一実施形態の機能ブロック図である。
【図２７】本開示の態様に従って引き渡しゾーンを監視するように構成されたデュアルカメラＡ／Ｖ記録通信装置を示す図である。
【図２８】本開示の態様に係るデュアルカメラＡ／Ｖ記録通信装置を使用し、引き渡しゾーンを監視するためのプロセスの一実施形態を示すフローチャートである。
【図２９】本開示の態様に係るデュアルカメラＡ／Ｖ記録通信装置を使用し、引き渡しゾーンを監視するためのプロセスの別の実施形態を示すフローチャートである。
【図３０】本開示の態様に係るデュアルカメラＡ／Ｖ記録通信装置を使用し、引き渡しゾーンを監視するためのプロセスの別の実施形態を示すフローチャートである。
【図３１】本開示の種々の実施形態に従って本実施形態が実施され得るクライアントデバイスの機能ブロック図である。
【図３２】本開示の種々の態様に従って本実施形態が実施され得る汎用コンピューティングシステムの機能ブロック図である。
【発明を実施するための形態】
【００５０】
以下の詳細な説明は、図面を参照して本実施形態を説明する。図面では、参照番号が本実施形態の要素をラベル付けする。これらの参照番号は、対応する図面の特徴の議論と関連して以下で再現される。
【００５１】
図を参照し、無線音声／ビデオ（Ａ／Ｖ）記録通信装置のための本小包窃盗抑止の実施形態を以下に説明する。これらの図面及びそれらの書面による説明は、機器の特定の構成要素が一体的に形成され、特定の他の構成要素が、別個の部品としてとして形成されることを示している。当業者は、統合して形成されるものとして本明細書で示され及び説明される構成要素が、代替的な実施形態では、別個の部品として形成されてもよいことを認識するであろう。当業者は、別個の部品として形成されるとして本明細書に示され、説明される構成要素が、代替実施形態では一体的に形成されてよいことをさらに認識するであろう。さらに、本明細書で使用されるように、用語一体的は、単一のまとまった部品を説明する。
【００５２】
図１を参照すると、本実施形態は、音声／ビデオ（Ａ／Ｖ）記録通信装置１００を含む。本開示はＡ／Ｖ記録通信ドアベルを含む方法及びシステムの多数の実施例を提供するが、本実施形態は、ドアベル以外のＡ／Ｖ記録通信装置に対しても等しく適用可能である。例えば、本実施形態は、１つ以上のＡ／Ｖ記録通信ドアベルに代えてまたは加えて、１つ以上のＡ／Ｖ記録通信防犯カメラを含む場合がある。一例のＡ／Ｖ記録通信防犯カメラは、フロントボタン及び関係する構成要素を持たないことを除き、本明細書で説明されるドアベルの構造及び／または機能性の実質的にすべてを含んでよい。
【００５３】
Ａ／Ｖ記録通信ドアベル装置１００は、例えば住居、会社、保管施設等の建造物（図示せず）への入口の近くに配置されてよい。Ａ／Ｖ記録通信装置１００は、カメラ１０２、マイク１０４及びスピーカ１０６を含む。カメラ１０２は、例えば、７２０ｐまたはそれよりも良好な画像表示解像度でビデオ画像を取り込むことができるビデオカメラ等、高解像度（ＨＤ）ビデオカメラを含んでよい。図示されないが、Ａ／Ｖ記録通信装置１００はまた、筐体、（他の装置との有線通信及び／または無線通信を容易にし得る）通信モジュール、１つまたは複数のモーションセンサ（及び／または他のタイプのセンサ）、ボタン等、他のハードウェア及び／または構成要素を含んでもよい。Ａ／Ｖ記録通信装置１００は、米国特許出願公開第２０１５／００２２６２０号（特許出願番号第１４／４９９，８２８号）、及び第２０１５／００２２６１８号（特許出願番号１４／３３４，９２２号）に説明された無線通信ドアベルに類似した構成部品及び／または機能性をさらに含む場合があり、その両方とも、あたかも完全に記載されるようにその全体を参照により本明細書に援用される。
【００５４】
さらに図１を参照すると、Ａ／Ｖ記録通信装置１００は、例えば有線ネットワーク及び／または無線ネットワークであってよいユーザーのネットワーク１１０と通信する。ユーザーのネットワーク１１０が無線である場合、または無線構成要素を含む場合、ネットワーク１１０は、ＩＥＥＥ８０２．１１規格及び／または他の無線通信規格（複数可）と互換性のあるＷｉ−Ｆｉネットワークであってよい。ユーザーのネットワーク１１０は、例えばインターネット及び／または公衆交換電話網（ＰＳＴＮ）を含んでよい別のネットワーク１１２に接続される。以下に説明するように、Ａ／Ｖ記録通信装置１００は、ホームネットワーク１１０及びネットワーク１１２（インターネット／ＰＳＴＮ）を介してユーザーのクライアントデバイス１１４と通信してよい。ユーザーのクライアントデバイス１１４は、例えば、スマートフォン、パーソナルデジタルアシスタント（ＰＤＡ）または別の通信装置等、携帯電話（セルラー式電話と呼ばれる場合もある）を含んでよい。ユーザーのクライアントデバイス１１４は、ストリーミング及び／または記録されたビデオ画像を表示する能力を有するディスプレイ（図示せず）及び関連する構成要素を含む。また、ユーザーのクライアントデバイス１１４は、ストリーミング及び／または記録された音声をブロードキャストすることが可能なスピーカ及び関係する構成要素を含んでもよく、マイクを含んでもよい。Ａ／Ｖ記録通信装置１００は、ホームネットワーク１１０及びネットワーク１１２（インターネット／ＰＳＴＮ）を介して１つ以上の（「クラウドストレージデバイス（複数可）」と区別なく呼ばれる場合もある）リモートストレージデバイス（複数可）１１６、１つ以上のサーバ１１８及び／またはバックエンドＡＰＩ（アプリケーションプログラミングインターフェース）１２０と通信してもよい。図１は、ストレージデバイス１１６、サーバ１１８、及びバックエンドＡＰＩ１２０をネットワーク１１２とは別個の構成要素として示しているが、ストレージデバイス１１６、サーバ１１８及び／またはバックエンドＡＰＩ１２０がネットワーク１１２の構成要素であると見なされる場合もあることが理解されるべきである。
【００５５】
ネットワーク１１２は、図１に示す上述のモジュール、装置、及びシステムを動作可能なように結合するように構成された任意の無線ネットワークまたは有線ネットワークまたはその組み合わせであってよい。例えば、ネットワーク１１２は、ＰＳＴＮ（公衆交換電話網）、インターネット、ローカルイントラネット、ＰＡＮ（パーソナルエリアネットワーク）、ＬＡＮ（ローカルエリアネットワーク）、ＷＡＮ（広域ネットワーク）、ＭＡＮ（メトロポリタンエリアネットワーク）、仮想プライベートネットワーク（ＶＰＮ）、ストレージエリアネットワーク（ＳＡＮ）、フレームリレー接続、高度インテリジェントネットワーク（ＡＩＮ）接続、同期型光ネットワーク（ＳＯＮＥＴ）接続、デジタルＴ１、Ｔ３、Ｅ１もしくはＥ３回線、デジタルデータサービス（ＤＤＳ）接続、ＤＳＬ（デジタル加入者回線）接続、イーサネット（登録商標）接続、ＩＳＤＮ（総合デジタル通信網）回線、Ｖ．９０、Ｖ．３４もしくはＶ．３４ｂｉｓアナログモデム接続等のダイヤルアップポート、ケーブルモデム、ＡＴＭ（非同期転送モード）接続、またはＦＤＤＩ（光ファイバ分散データインタフェース）、またはＣＤＤＩ（銅線分散データインタフェース）(Ｃｏｐｐｅｒ  Ｄｉｓｔｒｉｂｕｔｅｄ  Ｄａｔａ  Ｉｎｔｅｒｆａｃｅ）接続のうちの１つまたは複数を含んでよい。さらに、通信は、ＷＡＰ（ワイヤレスアプリケーションプロトコル）、ＧＰＲＳ（ジェネラルパケットラジオサービス）、ＧＳＭ（登録商標）（グローバルシステムフォーモバイルコミュニケーション）、ＬＴＥ、ＶｏＬＴＥ、ＬｏＲａＷＡＮ、ＬＰＷＡＮ、ＲＰＭＡ、ＬＴＥ、Ｃａｔ−「Ｘ」（例えばＬＴＥＣａｔ１、ＬＴＥＣａｔ０、ＬＴＥＣａｔＭ１、ＬＴＥＣａｔＮＢ１）、ＣＤＭＡ（符号分割多元接続）、ＴＤＭＡ（時分割多元接続）、ＦＤＭＡ（周波数分割多元接続）、及び／またはＯＦＤＭＡ（直交周波数分割多元接続）セルラー電話網、ＧＰＳ、ＣＤＰＤ（セルラーデジタルパケットデータ）、ＲＩＭ（リサーチインモーションリミテッド）全二重ページングネットワーク、Ｂｌｕｅｔｏｏｔｈ（登録商標）無線、またはＩＥＥＥ８０２．１１ベースの無線周波数ネットワークを含めた様々な無線ネットワークのいずれかへのリンクを含んでもよい。ネットワークはさらに、以下のＲＳ−２３２直列接続、ＩＥＥＥ−１３９４（Ｆｉｒｅｗｉｒｅ）接続、ファイバチャネル接続、ＩｒＤＡ（赤外線）ポート、ＳＣＳＩ（小型計算機システムインタフェース）接続、ＵＳＢ（ユニバーサルシリアルバス）接続、または他の無線もしくは有線のデジタルもしくはアナログのインタフェースもしくは接続、メッシュもしくはＤｉｇｉ（登録商標）ネットワーキングのうちの任意の１つ以上を含んでよい、または任意の１つ以上とインタフェースで接続してよい。
【００５６】
本実施形態の１つまたは複数の態様によると、人（「訪問者」と同じ意味で呼ばれてよい）がＡ／Ｖ記録通信装置１００に達すると、Ａ／Ｖ記録通信装置１００は、訪問者の存在を検出し、カメラ１０２の視界の中のビデオ画像の取り込みを開始する。また、Ａ／Ｖ記録通信装置１００は、マイク１０４を通して音声を取り込んでもよい。例えば、Ａ／Ｖ記録通信装置１００は、カメラ１０２及び／またはモーションセンサを利用して動きを検出することによって、及び／または（Ａ／Ｖ記録通信装置１００がドアベルである場合）訪問者がＡ／Ｖ記録通信装置１００のフロントボタンを押したことを検出することによって訪問者の存在を検出してよい。
【００５７】
訪問者の検出に応えて、Ａ／Ｖ記録通信装置１００は、ユーザーのホームネットワーク１１０及びネットワーク１１２を介してユーザーのクライアントデバイス１１４（図１）にアラートを送る。Ａ／Ｖ記録通信装置１００はまた、ユーザーのクライアントデバイス１１４にストリーミングビデオを送信し、ストリーミング音声を送信してもよい。ユーザーがアラートに答えた場合、Ａ／Ｖ記録通信装置１００及びユーザーのクライアントデバイス１１４を通して訪問者とユーザーとの間に双方向音声通信が発生する場合がある。ユーザーは、通話の持続時間を通して訪問者を見る場合があるが、訪問者は（Ａ／Ｖ記録通信装置１００が、それが一部の実施形態では含む場合があるディスプレイを含んでいない限り）ユーザーを見ることはできない。
【００５８】
Ａ／Ｖ記録通信装置１００のカメラ１０２によって取り込まれるビデオ画像（及びマイク１０４によって取り込まれる音声）は、クラウドにアップロードされ、リモートストレージデバイス１１６（図１）に記録されてよい。一部の実施形態では、ビデオ及び／または音声は、ユーザーが自身のクライアントデバイス１１４に送信されたアラートを無視することを選んだ場合でさえ、リモートストレージデバイス１１６に記録される場合がある。
【００５９】
さらに図１を参照すると、システムはさらに、１つ以上の構成要素を含むバックエンドＡＰＩ１２０を含んでよい。バックエンドＡＰＩ（アプリケーションプログラミングインタフェース）は、例えばサーバ（例えば、実サーバ、仮想マシン、もしくはクラウドインフラストラクチャ内でサーバとして動作するマシン）、または少なくとも１つのＡＰＩをそれにアクセスするクライアント（複数可）に公開する、ともにネットワーク化された複数のサーバを含んでもよい。これらのサーバは、キャッシュ層、データベース層、または他の構成要素等、どの他の構成要素が含まれるかに応じて、アプリケーションサーバ（例えば、ソフトウェアサーバ）などの構成要素を含んでよい。バックエンドＡＰＩは、例えば、その各々がそれらのパブリックＡＰＩを使用して相互に通信する、多くのそのようなアプリケーションを含んでもよい。一部の実施形態では、ＡＰＩバックエンドは、ユーザーデータの大部分を保持し、ユーザー管理能力を提供し、クライアントを非常に制限された状態にする場合もある。
【００６０】
図１に示すバックエンドＡＰＩ１２０は、１つ以上のＡＰＩを含んでよい。ＡＰＩは、ソフトウェア及びアプリケーションを構築するためのルーチン、プロトコル、及びツールのセットである。ＡＰＩは、その動作、入力、出力及び基本的なタイプに関してソフトウェア構成要素を表し、そのそれぞれの実装とは関係なく機能性を定義し、これが、定義及び実装が、インタフェースに障害を生じさせることなく変わることを可能にする。有利なことに、ＡＰＩは、プログラマがアプリケーション自体を修正する必要なく、またはアプリケーションがどのように機能するのかを理解する必要すらなく、プログラマにアプリケーションの機能性へのアクセスを提供し得る。ＡＰＩは、ウェブベースのシステム、オペレーティングシステム、またはデータベースシステム用であってよく、ＡＰＩは、所与のプログラミング言語を使用し、そのシステムのためにアプリケーションを開発するための能力を提供する。データベースまたはハードディスクドライブもしくはビデオカードのようなコンピュータハードウェアにアクセスすることに加えて、ＡＰＩは、ＧＵＩ構成要素をプログラムする作業を軽減することができる。例えば、ＡＰＩは、既存のアプリケーションへの新たな機能の統合を容易にすることができる（いわゆる「プラグインＡＰＩ」）。ＡＰＩはまた他に、共有するデータによって異なるアプリケーションを支援することができ、このことは、アプリケーションの機能性を統合し強化するのに役立つことができる。
【００６１】
図１に示すバックエンドＡＰＩ１２０はさらに、（ネットワークサービスとも呼ばれる）１つ以上のサービスを含んでよい。ネットワークサービスは、データストレージ、操作、提示、通信及び／または他の機能を提供するアプリケーションである。ネットワークサービスは、アプリケーションレイヤネットワークプロトコルに基づいて、クライアント−サーバアーキテクチャを使用して実施されることが多い。各サービスは、（複数のサービスを提供する専用サーバコンピュータ等の）１つ以上のコンピュータ上で動作するサーバ構成要素によって提供され、他の装置上で動作するクライアント構成要素によってネットワークを介してアクセスされてよい。しかしながら、クライアント構成要素及びサーバ構成要素はともに、同一のマシン上で実行される場合がある。クライアント及びサーバは、ユーザーインタフェース、及びときにはそれらと関連付けられた他のハードウェアを有する場合がある。
【００６２】
図２は、本開示の種々の態様に従って、無線Ａ／Ｖ記録通信装置１００からのＡ／Ｖコンテンツをストリーミング配信し、記憶するためのプロセスを示すフローチャートである。ブロックＢ２６０で、無線Ａ／Ｖ記録通信装置１００は、訪問者の存在を検出し、カメラ１０２の視界の中のビデオ画像を取り込む。無線Ａ／Ｖ記録通信装置１００は、マイク１０４を通して音声を取り込んでもよい。上述したように、無線Ａ／Ｖ記録通信装置１００は、カメラ１０２及び／またはモーションセンサを利用して動きを検出することによって、及び／または（無線Ａ／Ｖ記録通信装置１００がドアベルである場合）訪問者が無線Ａ／Ｖ記録通信装置１００のフロントボタンを押したことを検出することによって訪問者の存在を検出してよい。また上述したように、ビデオの記録／取り込みは、訪問者が検出されたときに開始してよい、または以下に説明するようにより早期に開始する場合もある。
【００６３】
ブロックＢ２６２で、無線Ａ／Ｖ記録通信装置１００の通信モジュールは、ユーザーのネットワーク１１０及びネットワーク１１２を介してネットワーク１１２内の装置に接続要求を送信する。例えば、要求送信先のネットワーク装置は、例えばサーバ１１８等のサーバであってよい。サーバ１１８は、他のマシンまたはソフトウェア（クライアント）からの要求を待ち、要求に応答するコンピュータプログラム及び／またはマシンを含んでよい。サーバは、通常データを処理する。サーバの１つの目的は、クライアント間でデータ及び／またはハードウェア及び／またはソフトウェアのリソースを共有することである。このアーキテクチャは、クライアント−サーバモデルと呼ばれる。クライアントは、同一のコンピュータ上で実行する場合もあれば、ネットワークを介してサーバに接続する場合もある。コンピューティングサーバの実施例は、データベースサーバ、ファイルサーバ、メールサーバ、プリントサーバ、ウェブサーバ、ゲームサーバ及びアプリケーションサーバを含む。用語サーバは、１つ以上のクライアント処理に対して１つのリソースを共有する任意のコンピュータ化されたプロセスを含むと広義に解釈されてよい。別の実施例では、要求送信先のネットワーク装置は、上述したバックエンドＡＰＩ１２０等のＡＰＩであってよい。
【００６４】
要求に応えて、ブロックＢ２６４で、ネットワーク装置は、ユーザーネットワーク１１０及びネットワーク１１２を通して無線Ａ／Ｖ記録通信装置１００をユーザーのクライアントデバイス１１４に接続してよい。ブロックＢ２６６で、無線Ａ／Ｖ記録通信装置１００は、カメラ１０２、マイク１０４、及び／または利用可能な任意の他の装置／センサを使用し、利用可能な音声及び／またはビデオデータを記録してよい。ブロックＢ２６８で、音声及び／またはビデオデータは、ユーザーのネットワーク１１０及びネットワーク１１２を介して無線Ａ／Ｖ記録通信装置１００からユーザーのクライアントデバイス１１４に送信される（ストリーミング配信される）。ブロックＢ２７０で、通話を受け入れるまたは拒否するためのプロンプトにより、ユーザーは自分のクライアントデバイス１１４で通知を受け取ってよい。
【００６５】
ブロックＢ２７２で、プロセスは、ユーザーが通話を受け入れたのかそれともたは拒否したのかを判断する。ユーザーが通知を拒否する場合、プロセスは次いで、ブロックＢ２７４に進み、そこで音声及び／またはビデオデータがクラウドサーバに記録及び記憶される。セッションは次いで、ブロックＢ２７６で終了し、無線Ａ／Ｖ記録通信装置１００とユーザーのクライアントデバイス１１４との間の接続が終了する。しかしながら、ユーザーが通知を受け入れる場合、次いでブロックＢ２７８で、ユーザーは、ユーザーのクライアントデバイス１１４を通じて訪問者と通信し、一方カメラ１０２、マイク１０４及び／または他の装置／センサによって取り込まれた音声及び／またはビデオデータは、ユーザーのクライアントデバイス１１４にストリーミング配信される。通話の終わりに、ユーザーは、ユーザーのクライアントデバイス１１４と無線Ａ／Ｖ記録通信装置１００との間の接続を終了させてよく、セッションはブロックＢ２７６で終わる。一部の実施形態では、音声及び／またはビデオデータは、ユーザーが通知を受け入れ、ユーザーのクライアントデバイス１１４を通じて訪問者と通信する場合でも、クラウドサーバに記録及び記憶されてよい（ブロックＢ２７４）。
【００６６】
図３〜図１３は、本開示の種々の態様に係る低消費電力Ａ／Ｖ記録通信装置１３０の一実施形態を示す。図３は、無線Ａ／Ｖ記録通信装置１３０の種々の構成要素及び互いに対するその関係性を示す機能ブロック図である。例えば、無線Ａ／Ｖ記録通信装置１３０は、家庭用ＡＣ電源１３４（ＡＣ主電源と呼ばれる場合もある）等の外部ＡＣ（交流）電源に接続されるように構成された一対の端子１３１、１３２を含む。ＡＣ電源１３４は、例えば１６〜２４ＶＡＣの範囲の電圧を有してよい。入ってくるＡＣ電源１３４は、ＡＣ／ＤＣ整流器１３６によってＤＣ（直流）に変換されてよい。ＡＣ／ＤＣ整流器１３６の出力は、ＤＣ／ＤＣ変換器１３８の入力に接続されてよく、これが、ＡＣ／ＤＣ整流器１３６の出力からの電圧を１６〜２４ＶＤＣから、例えば約５ＶＤＣのより低圧に逓減し得る。種々の実施形態では、ＤＣ／ＤＣ変換器１３８の出力は、例えば約２．５Ｖから約７．５Ｖの範囲内であってよい。
【００６７】
図３をさらに参照すると、ＤＣ／ＤＣ変換器１３８の出力は、電力マネージャ１４０に接続され、電力マネージャ１４０は、プロセッサコア、メモリ及び／またはプログラマブル入／出力周辺機器を含んだ集積回路を含んでよい。１つの非限定的な実施例では、電力マネージャ１４０は、Ｔｅｘａｓ  Ｉｎｓｔｒｕｍｅｎｔｓによって製造されるＢＱ２４７７３チップなどの標準規格の構成要素であってよい。以下で詳細に説明するように、電力マネージャ１４０は、無線Ａ／Ｖ記録通信装置１３０に電力を供給するために、とりわけ、外部電源１３４から引き出される電力の量ならびに電池１４２から引き出される補足電力の量を制御する。電力マネージャ１４０は、閾値の電力引き出し量を超えないように、例えば外部電源１３４から引き出される電力の量を制限してよい。１つの非限定的な実施例では、ＤＣ／ＤＣ変換器１３８の出力で測定される閾値電力は、１．４Ａに相当する場合がある。また、電力マネージャ１４０は、外部電源１３４から引き出され、電池１４２の再充電のために電池１４２に誘導される電力の量も制限してよい。電力マネージャ１４０の出力は、通信モジュール１４６、フロントボタン１４８、マイク１５０、スピーカドライバ１５１、スピーカ１５２、音声コーデック（コーダ−デコーダ）１５３、カメラ１５４、赤外線（ＩＲ）光源１５６、ＩＲカットフィルタ１５８、プロセッサ１６０（コントローラ１６０と呼ばれる場合もある）、複数の光インジケータ１６２、及び光インジケータ１６２用のコントローラ１６４を含んだ、無線Ａ／Ｖ記録通信装置１３０の他の構成要素への電力供給の順序を制御する電力シーケンサ１４４に接続される。これらの構成要素のそれぞれを以下に詳しく説明する。電力シーケンサ１４４は、プロセッサコア、メモリ及び／またはプログラマブル入／出力周辺機器を含んだ集積回路を含んでよい。１つの非限定的な実施例では、電力シーケンサ１４４は、Ｒｉｃｈｔｅｋによって製造されるＲＴ５０２４チップ等の標準規格の構成要素であってよい。
【００６８】
図３をさらに参照すると、無線Ａ／Ｖ記録通信装置１３０は、フロントボタン１４８が押下されると閉じる電子スイッチ１６６をさらに含む。電子スイッチ１６６が閉じるとき、ＡＣ電源１３４からの電力は、以下でさらに説明するように、無線Ａ／Ｖ記録通信装置１３０の外側にある信号装置１６８を通して迂回されて、信号装置１６８に音を発せさせる。１つの非限定的な実施例では、電子スイッチ１６６は、トライアック装置であってよい。無線Ａ／Ｖ記録通信装置１３０は、以下でさらに説明するように、プロセッサ１６０のハードリセットを開始するように構成されたリセットボタン１７０をさらに備える。
【００６９】
図３をさらに参照すると、プロセッサ１６０は、以下で説明するように、データ処理及び種々の他の機能を行ってよい。プロセッサ１６０は、プロセッサコア、メモリ１７２、不揮発性メモリ１７４及び／またはプログラマブル入／出力周辺機器（図示せず）を含んだ集積回路を含んでよい。メモリ１７２は、例えば、ＤＤＲ３（ダブルデータレート型のスリー・シンクロナス・ダイナミック・ランダムアクセスメモリ）を含んでよい。不揮発性メモリ１７４は、例えば、ＮＡＮＤフラッシュメモリを含んでよい。図３に示される実施形態では、メモリ１７２及び不揮発性メモリ１７４は、プロセッサ１６０を表すボックス内に示される。図３に示される実施形態は一実施例にすぎず、一部の実施形態では、メモリ１７２及び／または不揮発性メモリ１７４は、必ずしも物理的にプロセッサ１６０と組み込まれないことが理解されるべきである。メモリ１７２及び／または不揮発性メモリ１７４は、それらの物理的な位置に関わらず、（プロセッサ１６０に加えて）現行のＡ／Ｖ記録通信装置１３０の１つ以上他の構成要素によって共有されてよい。
【００７０】
ユーザーと訪問者との間のデジタル音声の転送は、プロセッサ１６０に動作可能なように結合される音声コーデック１５３を使用し、圧縮及び展開されてよい。訪問者が話すとき、訪問者からの音声は音声コーデック１５３によって圧縮され、デジタル音声データが、通信モジュール１４６を通じてユーザーの無線ネットワーク１１０を介してネットワーク１１２に送信され、サーバ１１８によって経路指定され、ユーザーのクライアントデバイス１１４に配信される。ユーザーが話すとき、ネットワーク１１２、ユーザーの無線ネットワーク１１０、及び通信モジュール１４６を通して転送された後、デジタル音声データは、音声コーデック１５３によって展開され、スピーカドライバ１５１によって駆動されるスピーカ１５２を介して訪問者に発せられる。
【００７１】
図３をさらに参照すると、本実施形態の一部は、信号装置１６８と並列に接続された分流器１７６を含んでよい。分流器１７６は、信号装置１６８を不注意にトリガすることなくＡＣ電源１３４から電力を引き出す無線Ａ／Ｖ記録通信装置１３０の能力を促進する。分流器１７６は、通常の待機動作中、信号装置１６８の端子全体で、例えば数オーム等の比較的低い電気インピーダンスを提示する。したがって、無線Ａ／Ｖ記録通信装置１３０によって引き出される電流の大部分は、信号装置１６８を通ってではなく、分流器１７６を通って流れる。しかしながら、分流器１７６は、例えば数オームなどの低インピーダンスの状態と、例えば１Ｋオームを超えるような高インピーダンスの状態との間で分流器１７６を切り替える電子回路を含んでいる（後述）。無線Ａ／Ｖ記録通信装置１３０のフロントボタン１４８が押されると、電子スイッチ１６６は閉じ、ＡＣ電源１３４からの電圧を並列の分流器１７６及び信号装置１６８のほぼ全体で印加させる。一方、約１Ｖ等の少量の電圧は電子スイッチ１６６全体で印加される。分流器１７６内の回路は、この電圧を検知し、分流器１７６を高インピーダンス状態に切替え、これによりＡＣ電源１３４からの電力は、信号装置１６８を通って迂回される。迂回されたＡＣ電源１３４は、信号装置１６８に音を発せさせるために必要な閾値を超えている。したがって、装置１３０のフロントボタン１４８を押すことは、信号装置１６８を「鳴らし」、装置１３０が取り付けられている構造物の中にいる任意の人（複数可）に、玄関に（または装置１３０の場所に相当する別の場所に）訪問者がいることについて注意を喚起する。１つの非限定的な実施例では、電子スイッチ１６６は、トライアック装置であってよい。
【００７２】
図４から図６を参照すると、無線Ａ／Ｖ記録通信装置１３０は、筐体１８０を有するハウジング１７８（図６）、筐体１８０の背面に取り付けられたバックプレート１８２、及び筐体１８０の上に重なるシェル１８４をさらに含む。図６を参照すると、シェル１８４は、締り嵌め係合で筐体１８０を受け入れる大きさに作られ、整形される凹部１８６を含み、これにより筐体１８０の外面は、シェル１８４の一致する内面に当接する。筐体１８０の外部寸法は、摩擦がシェル１８４を筐体１８０の周りに維持するように、シェル１８４の内部寸法とぴったりと一致されてよい。代わりにまたはさらに、筐体１８０及び／またはシェル１８４は、１つ以上のタブ、溝、長穴、支柱などの嵌め合い機構１８８を含んで、シェル１８４を筐体１８０の周りに維持するのに役立つ場合がある。バックプレート１８２は、バックプレート１８２の端縁が、筐体１８０の端縁から外向きに伸長し、それによって図４及び図５に示すように、シェル１８４が筐体１８０と噛み合うときシェル１８４が隣接するリップ１９０を作り出すような大きさに作られ、整形される。一部の実施形態では、エンドユーザーが自分のＡ／Ｖ記録通信装置１３０の外観をカスタマイズし得るように、異なる色の複数のシェル１８４が提供されてよい。例えば、無線Ａ／Ｖ記録通信装置１３０は、同じパッケージに異なる色の複数のシェル１８４とパッケージされ、販売されてよい。
【００７３】
図４を参照すると、無線Ａ／Ｖ記録通信装置１３０の前面は、プロセッサ１６０に動作可能なように接続される（フロントボタン１４８とも呼ばれる場合がある、図３）ボタン１４８を含む。図２に関して上述したプロセスと同様のプロセスでは、訪問者がフロントボタン１４８を押すと、警報がユーザーのクライアントデバイス１１４に送られて、誰かがユーザーの玄関に（または無線Ａ／Ｖ記録通信装置１３０の場所に相当する別の場所に）いることをユーザーに通知してよい。図４を参照すると、無線Ａ／Ｖ記録通信装置１３０は、プロセッサ１６０に動作可能なように接続され、シールド１９２の後ろに位置するカメラ１５４をさらに含む。以下に詳細に説明するように、カメラ１５４は、その視界の範囲内からビデオ画像を取り込むように構成される。それらのビデオ画像は、図２に関して上述したプロセスと同様のプロセスに従って、ユーザーのクライアントデバイス１１４にストリーミング配信及び／または後で視聴するためにリモートネットワーク装置にアップロードすることもできる。
【００７４】
図５を参照すると、１対の端子ネジ１９４がバックプレート１８２を通って伸長している。端子ネジ１９４は、その内側端部で無線Ａ／Ｖ記録通信装置１３０の中で端子１３１、１３２（図３）に接続される。端子ネジ１９４は、無線Ａ／Ｖ記録通信装置１３０が取り付けられる構造物の家庭用ＡＣ電源１３４まで、端子１３１、１３２を通して無線Ａ／Ｖ記録通信装置１３０に接続するための電線を受け入れるように構成される。示される実施形態では、端子ネジ１９４は、端子ネジ１９４が無線Ａ／Ｖ記録通信装置１３０の外側の覆いから突出しないようにバックプレート１８２の背面１９８の凹んだ部分１９６の中に位置する。無線Ａ／Ｖ記録通信装置１３０は、このようにして取り付け面に取り付けることができ、バックプレート１８２の背面１９８は取り付け面に当接する。バックプレート１８２は、取り付け面にバックプレート１８２（したがって、無線Ａ／Ｖ記録通信装置１３０）を固定するための、例えばネジ（図示せず）等の取り付け金具を収容するために、その上縁及び下縁に隣接して開口２００を含む。図６を参照すると、筐体１８０は、取り付け金具を収容するためにバックプレート１８２内の開口２００と位置合わせするその上縁及び下縁に隣接して対応する開口２０２を含む。特定の実施形態では、無線Ａ／Ｖ記録通信装置１３０は、無線Ａ／Ｖ記録通信装置１３０を取り付け面に取り付けることを容易にするために取り付けプレートまたはブラケット（図示せず）を含んでよい。
【００７５】
さらに図６を参照すると、シェル１８４は、前面に中央開口部２０４を含む。中央開口部２０４は、シールド１９２を収容する大きさに作られ、整形される。示される実施形態では、シールド１９２は実質的に矩形であり、フロントボタン１４８がそれを通って突出する中央開口部２０６を含む。シールド１９２は、筐体１８０の前面２０８に平行して、前面２０８の前に平面を画定する。図４及び図１０に示すように、シェル１８４が筐体１８０と噛み合うとき、シールド１９２は、シェル１８４の中央開口部２０４の中にあり、これによりシールド１９２の前面２１０は、シェル１８４の前面２１０とほぼ同一面にあり、シールド１９２の外縁とシェル１８４内の中央開口部２０４の内縁との間にはほとんど隙間がない、または全く隙間がない（図４）。
【００７６】
図６をさらに参照すると、シールド１９２は、（フロントボタン１４８の上方に及びフロントボタン１４８の横に位置する）上部２１４、及び（フロントボタン１４８の下方に及びフロントボタン１４８の横に位置する）下部２１６を含む。シールド１９２の上部、下部２１４、２１６は、別々の部品であってよく、異なる素材を含んでよい。シールド１９２の上部２１４は、それがカメラ１５４の視界と干渉しないように透明または半透明であってよい。例えば、特定の実施形態では、シールド１９２の上部２１４は、ガラスまたはプラスチックを含んでよい。以下に詳細に説明するように、プロセッサ１６０に動作可能なように接続されるマイク１５０は、シールド１９２の上部２１４の後方に位置する。したがって、上部２１４は、マイク１５０が無線Ａ／Ｖ記録通信装置１３０の周囲の領域から音をよりうまく拾うことができるように、シールド１９２を通る音の通過を促進する開口部２１８を含んでよい。
【００７７】
シールド１９２の下部２１６は、赤外（ＩＲ）光に対して実質的に透明であるが、可視スペクトル内の光に関しては部分的にまたはほとんど不透明である材料を含んでよい。例えば、特定の実施形態では、シールド１９２の下部２１６は、例えばポリカーボネート等のプラスチックを含んでよい。したがって、シールド１９２の下部２１６は、下部２１６の後方に位置するＩＲ光源１５６からのＩＲ光の伝送と干渉しない。以下に詳細に説明するように、ＩＲ光源１５６及びＩＲカットフィルタ１５８は、ともにプロセッサ１６０に動作可能なように接続され、カメラ１５４の「暗視」機能を促進する。
【００７８】
シールド１９２の上部２１４及び／または下部２１６は、下にあるカバー２２０（図１０）と当接してよく、このカバーは、筐体１８０と一体である場合もあれば、別個の部品である場合もある。カバー２２０は不透明であってよく、カメラ１５４の場所に対応する第１の開口部２２２、マイク１５０及びシールド１９２の上部２１４の開口部２１８の場所に対応する第２の開口部（図示せず）、ならびにＩＲ光源１５６の場所に対応する第３の開口部（図示せず）を含んでよい。
【００７９】
図７〜図１０は、無線Ａ／Ｖ記録通信装置１３０の種々の内部構成要素を示す。図７〜９は、シェル１８４及び筐体１８０が取り外された状態の装置１３０の正面斜視図であり、一方、図１０は、図４の線１０−１０を通るようにとられた装置１３０の右側断面図である。図７及び図８を参照すると、無線Ａ／Ｖ記録通信装置１３０は、主プリント基板（ＰＣＢ）２２４及びフロントＰＣＢ２２６をさらに含む。図８を参照すると、フロントＰＣＢ２２６は、ボタンアクチュエータ２２８を含む。図７、図８、及び図１０を参照すると、フロントボタン１４８は、ボタンアクチュエータ２２８の前に位置する。フロントボタン１４８は、ハウジング１７８の中に伸長してボタンアクチュエータ２２８に接触する軸２３０（図１０）を含む。フロントボタン１４８が押されるとき、軸２３０は、ボタンアクチュエータ２２８を押し下げ、それによって以下に説明するように電子スイッチ１６６（図８）を閉じる。
【００８０】
図８を参照すると、フロントＰＣＢ２２６は、装置１３０のフロントボタン１４８が押されるときに点灯してよい光インジケータ１６２をさらに含む。示されている実施形態では、光インジケータ１６２は、フロントＰＣＢ２２６の前面に表面実装され、ボタンアクチュエータ２２８の周りに円形に配列される発光ダイオード（ＬＥＤ  １６２）を含む。本実施形態は、ＬＥＤである光インジケータ１６２に限定されず、代替実施形態では、光インジケータ１６２は、任意の他の種類の発光装置を含んでよい。また、本実施形態は、図８に示される光インジケータ１６２の数によって制限されず、光インジケータ１６２が配列されるパターンによっても制限されない。
【００８１】
図７を参照すると、装置１３０は、ライトパイプ２３２をさらに含む。ライトパイプ２３２は、フロントボタン１４８を取り囲む透明または半透明のリングである。図４を参照すると、ライトパイプ２３２は、フロントボタン１４８と、シールド１９２内の中央開口部２０６との間の環状の空間に常駐し、ライトパイプ２３２の前面２３４は、シールド１９２の前面２１０と実質的に同一平面である。図７及び図１０を参照すると、ライトパイプ２３２の後部は、その位置がＬＥＤ１６２の位置に一致する複数のポスト２３６を含む。ＬＥＤ１６２が照明されると、光は、光がライトパイプ２３２の前面２３４で見えるようにポスト２３６及びライトパイプ２３２の本体を通って伝送される。ＬＥＤ１６２及びライトパイプ２３２は、このようにしてフロントボタン１４８の周りに照明のリングを提供する。ライトパイプ２３２は、例えばプラスチック、または光を伝送することが可能な任意の他の適切な材料を含んでよい。
【００８２】
ＬＥＤ１６２及びライトパイプ２３２は、訪問者及び／またはユーザーのための可視的表示器として機能してよい。例えば、ＬＥＤ１６２は、起動時に点灯する、または連続的に点灯したままであってよい。一態様では、ＬＥＤ１６２は、フロントボタン１４８が押されたことを示すために色を変化させる場合がある。また、ＬＥＤ１６２は、電池１４２が再充電を必要とすること、または電池１４２が現在充電されていること、または電池１４２の充電が完了していることを示す場合もある。ＬＥＤ１６２は、ユーザーの無線ネットワークへの接続が良好である、制限されている、不良である、または接続されていないことを示す場合がある。ＬＥＤ１６２は、場合によってはスピーカ１５２から発せられる音声合図と結合されて、視覚的な合図を使用し、セットアップまたは設置のステップを通してユーザーを誘導するために使用してもよい。
【００８３】
図７をさらに参照すると、無線Ａ／Ｖ記録通信装置１３０は、充電式電池１４２をさらに含む。以下にさらに詳細に説明するように、無線Ａ／Ｖ記録通信装置１３０は、ＡＣメイン電源等の外部電源１３４（図３）に接続される。無線Ａ／Ｖ記録通信装置１３０は、おもに外部電源１３４によって電力が供給されるが、外部電源１３４からの電力の閾値量を超えないようにするために、充電式電池１４２からも電力を引き出し、それによって信号装置１６８に不注意に音を出させるのを回避する場合がある。図３を参照すると、電池１４２は、電力マネージャ１４０に動作可能なように接続される。以下に説明するように、電力マネージャ１４０は、補足電力が必要とされるとき、電池１４２から引き出される電力の量を制御して、無線Ａ／Ｖ記録通信装置１３０に電力を供給するために外部ＡＣ電源１３４から引き出される電力を補足する。また、電力マネージャ１４０は、外部電源１３４から引き出される電力を使用し、電池１４２の再充電を制御する。電池１４２は、例えば、リチウムイオン電池または任意の他の種類の充電式電池であってよい。
【００８４】
図７をさらに参照すると、無線Ａ／Ｖ記録通信装置１３０は、カメラ１５４をさらに含む。カメラ１５４は、フロントＰＣＢ２２６の前面に結合され、レンズ２３８、及び撮像プロセッサ２４０（図９）を含む。カメラレンズ２３８は、明確な画像を取り込み得るように、カメラ１５４の中に光を集束させることが可能なレンズであってよい。カメラ１５４は、例えば、７２０ｐまたはそれよりも良好な画像表示解像度でビデオ画像を取り込むことができるカメラ等、高解像度（ＨＤ）ビデオカメラを含んでよい。本実施形態のうちの特定の本実施形態では、カメラ１５４は、以下で説明するようにその視界の中で動きを検出するのに使用されてよい。
【００８５】
図７をさらに参照すると、無線Ａ／Ｖ記録通信装置１３０は、赤外（ＩＲ）光源２４２をさらに含む。示されている実施形態では、ＩＲ光源２４２は、ＩＲ  ＬＥＤプリント回路基板（ＰＣＢ）２４４に結合されたＩＲ発光ダイオード（ＬＥＤ）２４２を含む。代替実施形態では、ＩＲ  ＬＥＤ２４２は、別個のＰＣＢ２４４を含まない場合があり、例えばフロントＰＣＢ２２６に結合されてよい。
【００８６】
図７及び図１０を参照すると、ＩＲ  ＬＥＤ  ＰＣＢ２４４は、フロントボタン１４８（図７）の下方に、かつシールド１９２（図１０）の下部２１６の後方に位置する。上述したように、シールド１９２の下部２１６は、ＩＲ光に対して透明であるが、可視スペクトル内の光に関しては不透明である場合がある。ＩＲ  ＬＥＤ  ＰＣＢ２４４の代替実施形態では、ＩＲ  ＬＥＤ  ＰＣＢ２４４は、２つ以上のＩＲ  ＬＥＤ２４２を含んでよい。例えば、ＩＲ  ＬＥＤ  ＰＣＢ２４４は、３つのＩＲ  ＬＥＤ２４２、または任意の他の数のＩＲ  ＬＥＤ２４２を含んでよい。２つ以上のＩＲ  ＬＥＤ２４２を含んだ実施形態では、カバーの第３の開口部のサイズは、ＩＲ  ＬＥＤ  ＰＣＢ２４４のより大きいサイズを収容するために拡大されてよい。
【００８７】
ＩＲ  ＬＥＤ２４２は、低レベルの周囲光が検出されると起動するようにトリガされてよい。起動時、ＩＲ  ＬＥＤ２４２から発せられたＩＲ光は、カメラ１５４の視界を照らす。ＩＲ光を検出するように構成されてよいカメラ１５４は、次いでそれがカメラ１５４の視界の中の被写体から反射されるときにＩＲ  ＬＥＤ２４２によって発せられたＩＲ光を取り込んでよく、これにより無線Ａ／Ｖ記録通信装置１３０は、夜間に明確に画像を取り込むことができる（「暗視」と呼ばれる場合がある）。
【００８８】
図９を参照すると、無線Ａ／Ｖ記録通信装置１３０は、ＩＲカットフィルタ１５８をさらに含む。ＩＲカットフィルタ１５８は、カメラ１５４のレンズ２３８と画像センサとの間に選択的に位置決めすることができる機械的シャッターである。日中の時間において、または十分な量の周囲光があるときはいつでも、ＩＲカットフィルタ１５８は、ＩＲ光が、人間の目が画像を見るときに画像の色を歪めないようにＩＲ光を除外するためにレンズ２３８と画像センサとの間に位置決めされる。夜間の時間において、または周囲光がほとんど存在しない、または全く存在しない場合はいつでも、ＩＲカットフィルタ１５８は、レンズ２３８と画像センサとの間の空間から引き出され、これによりカメラ１５４は、ＩＲ光に対して敏感になる（「暗視」）。一部の実施形態では、カメラ１５４は、ＩＲカットフィルタ１５８の現在の状態を制御し、ＩＲ  ＬＥＤ２４２をオン及びオフにする上で使用するための光検出器の機能を果たす。カメラ１５４を光検出器として使用することは、無線Ａ／Ｖ記録通信装置１３０が、ＡＣ主電源への接続によって電力を供給され、したがってカメラ１５４は常に電源が入れられているという事実によって、一部の実施形態では容易になる。ただし、他の実施形態では、無線Ａ／Ｖ記録通信装置１３０は、ＩＲカットフィルタ１５８及びＩＲ  ＬＥＤ２４２を制御する上で使用するためにカメラ１５４とは別個の光源を含んでよい。
【００８９】
図６に戻って参照すると、無線Ａ／Ｖ記録通信装置１３０は、リセットボタン１７０をさらに含む。リセットボタン１７０は、フロントＰＣＢ２２６に結合されたリセットボタンアクチュエータ２４６（図７）に接触する。リセットボタン１７０が押されると、リセットボタン１７０はリセットボタンアクチュエータ２４６に接触し、これが、不揮発性メモリ１７４に及び／またはメモリ１７２（図３）に記憶される任意のデータの消去をトリガする場合がある、及び／またはプロセッサ１６０のリブートをトリガする場合がある。一部の実施形態では、リセットボタン１７０は、以下に説明するように、無線Ａ／Ｖ記録通信装置１３０を起動するためのプロセスで使用されてもよい。
【００９０】
図１１〜図１３は、無線Ａ／Ｖ記録通信装置１３０の内部構成要素をさらに示す。図１１〜図１３は、バックプレート１８２及び追加の構成要素が取り除かれた状態の装置１３０の背面斜視図である。例えば、図１１では、バックプレート１８２が取り外されている。一方、図１２では、バックプレート１８２及びメインＰＣＢ２２４が取り外されており、図１３では、バックプレート１８２、メインＰＣＢ２２４、及びフロントＰＣＢ２２６が取り外されている。図１１を参照すると、通信モジュール１４６、プロセッサ１６０、メモリ１７２、及び不揮発性メモリ１７４を含んだいくつかの構成要素が、メインＰＣＢ２２４の背面に結合されている。これらの構成要素のそれぞれの機能を以下に説明する。図１２を参照すると、電力マネージャ１４０、電力シーケンサ１４４、ＡＣ／ＤＣ整流器１３６、ＤＣ／ＤＣ変換器１３８、及び光インジケータ１６２用のコントローラ１６４を含んだいくつかの構成要素が、フロントＰＣＢ２２６の背面に結合されている。これらの構成要素のそれぞれの機能も以下に説明する。図１３を参照すると、マイク１５０、（中にスピーカ１５２が位置する）スピーカチャンバ２４８、及び通信モジュール１４６用のアンテナ２５０を含んだいくつかの構成要素が筐体１８０の中に見える。これらの構成要素のそれぞれの機能も以下に説明する。
【００９１】
図７を参照すると、アンテナ２５０はメインＰＣＢ２２４の前面に結合され、メインＰＣＢ２２４（図１１）の背面に結合される通信モジュール１４６に動作可能なように接続される。メインＰＣＢ２２４の前面に結合されてもよいマイク１５０は、無線Ａ／Ｖ記録通信装置１３０の周囲の領域から発する音が、開口部２１８を通過し、マイク１５０によって検出できるように、シールド１９２の上部２１４の開口部２１８（図４）の近くに位置する。図１３を参照すると、スピーカチャンバ２４８は、筐体１８０の底部近くに位置する。スピーカチャンバ２４８は、スピーカ１５２が位置する中空の筐体を含む。中空のスピーカチャンバ２４８は、無線Ａ／Ｖ記録通信装置１３０に近い領域内の訪問者がよりよく聞くことができるように、スピーカ１５２により作り出される音を増幅する。図５及び図１３を参照すると、シェル１８４の下面２５２及び筐体１８０の下面（図示せず）は、無線Ａ／Ｖ記録通信装置１３０の近くの領域内の訪問者がよりよく聞くことができるように、スピーカ１５２によって作り出される音が通過できる音響開口部２５４を含んでよい。示されている実施形態では、音響開口部２５４は、概して、シェル１８４の下面２５２を（及び筐体１８０も）実質的に横切って伸長する長さを有する矩形として成形される。しかしながら、示される形状は一実施例にすぎない。図５を参照すると、シェル１８４の下面２５２は、セキュリティスクリュー（ｓｅｃｕｒｉｔｙ  ｓｃｒｅｗ）（図示せず）を受け入れるための開口部２５６をさらに含んでよい。セキュリティスクリューは、開口部２５６を通って筐体１８０内の同様に配置される開口部の中に伸長して、シェル１８４を筐体１８０に固定してよい。装置１３０が取り付けブラケット（図示せず）に取り付けられる場合、セキュリティスクリューはまた、取り付けブラケット上に装置１３０を維持してよい。
【００９２】
図１３を参照すると、無線Ａ／Ｖ記録通信装置１３０は、電池加熱器２５８をさらに含んでよい。現行のＡ／Ｖ記録通信装置１３０は、低温気候を含めた屋外で使用するように構成されている。しかしながら低い温度は、エネルギー容量の低下、内部抵抗の増大、損傷なしに充電する能力の低下及び負荷電流を供給する能力の低下など、充電式電池にとってマイナスの性能の問題を引き起こす可能性がある。電池加熱器２５８は、上述のマイナスの性能問題を削減または排除するために充電式電池１４２を温かい状態に維持するのに役立つ。示されている実施形態では、電池加熱器２５８は、充電式電池１４２の側面に当接する実質的に平坦で薄いシートを含む。電池加熱器２５８は、例えば、電流がそこを通って流れるときに熱を生み出す電気抵抗性の加熱要素を含んでよい。電池加熱器２５８は、このようにして電力マネージャ１４０及び／または電力シーケンサ１４４（図１２）に動作可能なように結合されてよい。一部の実施形態では、充電式電池１４２は、電池１４２の温度を監視し、電池加熱器２５８に供給される電力量を、充電式電池１４２を所望される温度範囲内に保つために適応制御できるように、プロセッサ１６０に動作可能なように接続された感熱性抵抗器（「サーミスタ」、図示せず）を含んでよい。
【００９３】
上述したように、本開示は、無線Ａ／Ｖ記録通信ドアベルを含む方法及びシステムの多数の実施例を提供するが、本実施形態は、ドアベル以外の無線Ａ／Ｖ記録通信装置に対して等しく適用可能である。例えば、本実施形態は、１つ以上の無線Ａ／Ｖ記録通信ドアベルの代わりに、または１つ以上のＡ／Ｖ記録通信ドアベルに加えて、１つ以上のＡ／Ｖ記録通信防犯カメラを含んでよい。無線Ａ／Ｖ記録通信防犯カメラの例は、装置１３０の構造及び機能性の実質的にすべてを含んでよいが、フロントボタン１４８、ボタンアクチュエータ２２８、及び／またはライトパイプ２３２は含まない。
【００９４】
また、本開示は、ＡＣ主電への接続により電力を供給される無線Ａ／Ｖ記録通信装置を含む方法及びシステムの多数の実施例を提供するが、本実施形態は、電池式である無線Ａ／Ｖ記録通信装置に対しても等しく適用可能である。例えば、本実施形態は、両方ともあたかも完全に説明されるかのようにその全体を参照することによって本明細書に援用される、米国特許出願公開第２０１５／００２２６２０号（出願番号第１４／４９９，８２８号）及び第２０１５／００２２６１８号（出願番号第１４／３３４，９２２号）に説明される無線Ａ／Ｖ記録通信装置等の無線Ａ／Ｖ記録通信装置を含んでよい。
【００９５】
上述したように、小包窃盗はますます一般的になっている問題である。配達時に誰も応対に出ないとき、小包運送業者は、頻繁に住宅の玄関の近くに小包を置きっぱなしにする。これらの小包は、多くの場合通りから明確に見えるので、それらは窃盗に遭いやすい。この問題は、オンライン取引の蔓延で悪化してきたにすぎず、多くの消費者がオンラインで祝日の買い物を行うとき、主要な休日のあたりで特に一般的である。したがって、無線Ａ／Ｖ記録通信装置の機能性を、小包窃盗を抑止する及び／または小包窃盗犯を識別し、逮捕するために利用できるならば有利であるだろう。また、無線Ａ／Ｖ記録通信装置の機能性を、小包窃盗を抑止する、及び／または小包窃盗犯を識別し、逮捕するための１つ以上の方法で強化できる場合も有利であるだろう。本実施形態は、以下に説明するように、これらの優位点及び強化点を提供する。
【００９６】
例えば、本実施形態のいくつかは、小包が配達されたと判断すること、小包が配達区域から取り除かれたと判断すること、小包の除去が許可されていたかどうかを判断すること、及び小包の除去が許可されていなかったと判断されるとき、警報を生成することによって小包窃盗を抑止する、及び／または小包窃盗犯の識別及び逮捕を容易にする。さらに、本実施形態は無線Ａ／Ｖ記録通信装置を含んでいるため、小包窃盗の行為は、無線Ａ／Ｖ記録通信装置のカメラによって記録される。これらの画像は、窃盗犯を識別し、逮捕する上で役に立つ。
【００９７】
本実施形態のいくつかは、例えば物体認識等の１つ以上の態様用のコンピュータビジョンを含む。コンピュータビジョンは、数値情報または記号情報を、例えば決定の形で生じさせるために、画像及び一般的に現実世界からの高次元データを取得し、処理し、解析し、理解するための方法を含む。コンピュータビジョンは、画像を電子的に知覚し、理解することによって人間の視覚の能力を複製しようとする。この文脈での理解とは、視覚映像（網膜の入力）を、他の思考過程と連動し、適切な行為を生じさせることができる世界の描写に変換することを意味する。この映像の理解は、幾何学、物理学、統計学、及び学習理論を用いて構築されたモデルを使用し、画像データから記号情報を解放することと見なすことができる。また、コンピュータビジョンは、視覚認知のための広範囲の過程及び表現を自動化し、統合する事業としても説明されてきた。科学的専門分野として、コンピュータビジョンは、画像から情報を抽出する人為的分類の背後にある理論と関係している。画像データは、例えばビデオシーケンス、複数のカメラからのビュー、またはスキャナからの多次元データ等の多くの形をとることができる。技術分野として、コンピュータビジョンは、コンピュータビジョンシステムの構築のためにその理論及びモデルを適用しようとする。
【００９８】
コンピュータビジョンの一態様は、画像データがいくつかの特定の目的、特徴、または活動を含むかどうかを判断することを含む。コンピュータビジョン認識のさまざまな変種は、物体認識（物体分類とも呼ばれる）を含む−１つまたはいくつかの所定のまたは学習されたオブジェクトまたはオブジェクトクラスは、通常、画像内でのその２次元位置または場面内の３次元姿勢とともに認識できる。識別―オブジェクトの個々のインスタンスが認識される。実施例は、特定の人物の顔または指紋の識別、手書き数字の識別、または特定の車両の識別を含む。検出―画像データは、特定の条件について走査される。実施例は、医用画像における異常な可能性のある細胞もしくは組織の検出、または自動道路通行料徴収システムにおける車両の検出を含む。相対的に簡略で高速の計算に基づいた検出は、正しい解釈を生み出すためにより計算上の要求が高い技術によってさらに解析できる関心のある画像データのより小さい領域を見つけるために使用される場合がある。
【００９９】
例えば以下の、コンピュータビジョン認識に基づいたいくつかの専門的なタスクが存在する。光学式文字認識（ＯＣＲ）−通常は編集または索引付けにより適したフォーマット（例えば、ＡＳＣＩＩ）でテキストを符号化することを目的として、印刷されたまたは手書きのテキストの画像内の文字を識別すること等である。２次元コード読み取り−例えばデータマトリクス及びＱＲコード（登録商標）等の２次元コードの読み取り。顔認識。外形認識技術（ＳＲＴ）−物体から人間（例えば、頭部及び肩のパターン）を区別すること。
【０１００】
多くのコンピュータビジョンシステムに見られる典型的な機能及び構成要素（例えば、ハードウェア）を以下の段落で説明する。本実施形態は、これらの態様のうちの少なくともいくつかを含んでよい。例えば、図３を参照すると、本Ａ／Ｖ記録通信装置１３０の実施形態は、コンピュータビジョンモジュール１６３を含んでよい。コンピュータビジョンモジュール１６３は、１つ以上のカメラ、センサ、及び／またはプロセッサを含むが、これに限定されるものではない、コンピュータビジョンに関して本明細書に説明する構成要素（例えばハードウェア）及び／または機能性のいずれかを含んでよい。一部の実施形態では、マイク１５０、カメラ１５４、及び／またはイメージングプロセッサ２４０が、コンピュータビジョンモジュール１６３の構成要素であってよい。
【０１０１】
画像取得―デジタル画像は、種々の種類の感光性のカメラに加えて、距離センサ、断層撮影装置、レーダ、超音波カメラ等を含んでよい、１つまたはいくつかの画像センサによって生成される。センサの種類に応じて、結果として生じる画像データは、２次元画像、３次元体積、または画像シーケンスである場合がある。ピクセル値は、１つまたはいくつかのスペクトルバンド（グレー画像またはカラー画像）における光輝度に相当する場合があるが、例えば音波もしくは電磁波または核磁気共鳴の深度、吸収、または反射率等の種々の物理的な測度に関係する場合もある。
【０１０２】
前処理―いくつかの特定の情報を抽出するために、コンピュータビジョン方法を画像データに適用できる前に、通常、方法によって暗示される特定の仮定を満たすことを保証するためにデータを処理することが有益である。前処理の実施例は、画像座標系が正しいことを保証するための再サンプリング、センサ雑音が偽の情報を取り込まないことを保証するための雑音除去、関連性のある情報を検出できることを保証するためのコントラスト促進、及び局所的に適切な尺度で画像構造を強化するための尺度空間表現を含むが、これに限定されるものではない。
【０１０３】
特徴抽出―種々の複雑度での画像特徴が、画像データから抽出される。係る特徴の典型的な実施例は、線、端縁、及び隆起線、例えば角、斑点、または点等の局所化された関心点である。より複雑な特徴は、テクスチャ、形状、または動きに関係する場合がある。
【０１０４】
検出／分割―処理のなんらかの点で、画像のどの画像点または領域が、追加処理に関連しているのかについて決定が下される場合がある。実施例は、以下のとおりである。関心点の特定の集合の選択、特定の関心のあるオブジェクトを含む１つまたは複数の画像領域の分割、前景、オブジェクトグループ、単一オブジェクト、（空間―分類群（ｓｐａｔｉａｌ−ｔａｘｏｎ）シーン階層とも呼ばれる）突出したオブジェクト部分を含むネスト化された場面アーキテクチャへの画像の分割。
【０１０５】
高レベル処理―このステップで、入力は、例えば点の集合または特定のオブジェクトを含むと仮定される画像領域等、データの小さい集合であってよい。残りの処理は、例えば以下を含んでよい。データがモデルベースのアプリケーション特有の仮定を満たす旨の検証。例えばオブジェクトの姿勢またはオブジェクトのサイズ等のアプリケーション特有のパラメータの推定。画像認識―検出されたオブジェクトを異なるカテゴリに分類すること。画像登録―同じオブジェクトの２つの異なるビューを比較し、結合すること。
【０１０６】
意思決定―例えば、認識アプリケーションにおける一致／不一致等、アプリケーションに必要とされる最終決定を下すこと。
【０１０７】
本実施形態の１つ以上は、ビジョン処理ユニット（別個に示されていないが、コンピュータビジョンモジュール１６３の構成要素であってよい）を含んでよい。ビジョン処理ユニットは、マイクロプロセッサの新興クラスである。ビジョン処理ユニットは、マシンビジョンタスクを加速するように設計された特殊な種類のＡＩ（人工知能）アクセラレータである。ビジョン処理ユニットは、例えば畳み込みニューラルネットワーク、ＳＩＦＴ等のマシンビジョンアルゴリズムを実行するためのその適性において、（ビデオ符号化及び復号のために特殊化される）ビデオ処理ユニットとは異なる。ビジョン処理ユニットは、（あらゆるオフチップバッファを迂回する）カメラからデータをとるための直接的なインタフェースを含んでよく、メニーコアＤＳＰ（デジタルシグナルプロセッサ）のような、スクラッチパッドメモリを有する多くの並列実行ユニット間でのオンチップデータフローをより強調する場合がある。しかし、ビデオ処理ユニットのように、ビジョン処理ユニットは、画像処理のための低精度固定小数点演算に焦点を当てる場合がある。
【０１０８】
図１４は、本開示の種々の態様に係る無線Ａ／Ｖ記録通信装置を用いて小包窃盗を抑止するためのプロセスの例の実施形態を示す。ブロックＢ３００で、プロセスは、例えば上述の無線Ａ／Ｖ記録通信装置１３０等の無線Ａ／Ｖ記録通信装置の周りの領域の中に小包が残されていると判断する。本実施形態は、小包が無線Ａ／Ｖ記録通信装置の周りの区域の中に残されていると判断する任意の方法を含み、いくつかの実施例が以下に提供される。しかしながら、本実施形態は、例示のためだけに提供されるこれらの実施例に限定されていない。本実施形態のいずれかだけではなく、以下に説明する実施例のいずれも、コンピュータビジョンの１つ以上の態様を含んでよい。
【０１０９】
１つの例の実施形態では、小包が無線Ａ／Ｖ記録通信装置１３０の周りの区域の中に残されていると判断することは、例えばコンピュータビジョンを使用し、無線Ａ／Ｖ記録通信装置１３０のカメラ１５４によって記録されるビデオフレームを比較することを含んでよい。例えば、小包が無線Ａ／Ｖ記録通信装置１３０の周りの区域内に残される前、カメラ１５４の視界は静止したままである場合が多い。例えば、人、動物、車等の異なるオブジェクトがときおり（または頻繁に）カメラの視界を通過する場合があるが、これらのオブジェクトは概して長く（約数秒）カメラの視界の中にとどまらず、オブジェクトがカメラの視界の中で止まる場合、オブジェクトは通常停止後すぐに再び移動を開始する。対照的に、小包がカメラの視界の中に残されるとき、小包は、通常、相当な時間量（約数分または数時間）カメラの視界の中にとどまり、小包は、通常、それがカメラの視界の中にとどまる時間を通して（少なくとも誰かが小包を拾い上げ、小包を運び去るまで）静止したままである。したがって、小包がカメラの視界の中に残される前の時間からのビデオフレームを小包がカメラの視界の中に残された後の時間からのビデオフレームと比較することは、カメラの視界の中に存在するオブジェクトが小包であるのかどうかに関して信頼できる決定を下すことを可能にし得る。
【０１１０】
本実施形態は、カメラの視界の中に存在するオブジェクトが小包であるかどうかを判断するための多数の方法論を意図する。これらの方法論のいずれかまたはすべては、コンピュータビジョンの１つ以上の態様を含んでよい。例えば、一部の実施形態では、オブジェクトが（第１のビデオフレーム内の）第１のときにカメラの視界の中に存在せず、オブジェクトが、（第２のビデオフレーム内の）第１のときの後の第２のときにカメラの視界の中に存在し、オブジェクトが少なくとも閾値時間量の間カメラの視界の中にとどまる場合、カメラの視界の中のオブジェクトは小包であると判断されてよい。オブジェクトが、少なくとも閾値時間量の間カメラの視界の中にとどまるかどうかを判断することは、第２のビデオフレーム後に記録される１つ以上のビデオフレームの検討を含んでよい。他の実施形態では、オブジェクトが（第１のビデオフレーム内の）第１のときにカメラの視界の中に存在しておらず、オブジェクトが（第２のビデオフレーム内の）第１のときの後の第２のときにカメラの視界の中に存在し、オブジェクトが少なくとも閾値時間量の間カメラの視界の中に静止して留まる場合、カメラの視界の中のオブジェクトは小包であると判断されてよい。オブジェクトが、少なくとも閾値時間量の間カメラの視界の中に静止して留まるかどうかを判断することは、第２のビデオフレームの後に記録される１つ以上のビデオフレームの検討を含んでよい。
【０１１１】
他の実施形態ではカメラの視界の中のオブジェクトは、オブジェクトが（第１のビデオフレーム内での）第１のときにカメラの視界の中に存在しておらず、（第２のビデオフレーム内の）第１のときの後の第２のときに人が無線Ａ／Ｖ記録通信装置１３０に近づいていくのが検出され、人が（第３のビデオフレーム内の）第２のときの後の第３のときに無線Ａ／Ｖ記録通信装置１３０から離れていくのが検出され、（第４のビデオフレーム内の）第３のときの後の第４のときにオブジェクトがカメラの視界の中に存在する場合に、小包であると判断されてよい。
【０１１２】
他の実施形態では、カメラの視界の中のオブジェクトは、オブジェクトが（第１のビデオフレーム内の）第１のときにカメラの視界の中に存在せず、（例えば、配達車両であってよい）静止車両が、（第２のビデオフレーム内の）第１のときの後の第２のときにカメラの視界の中で検出され、オブジェクトが、（第３のビデオフレーム内の）第２のときのあとの第３のときにカメラの視界の中に存在し、車両が、（第４のビデオフレーム内の）第３のときのあとの第４のときにカメラの視界の中にもはや存在しない場合に、小包であると判断されてよい。
【０１１３】
他の実施形態では、カメラの視界の中のオブジェクトは、オブジェクトが、（第１のビデオフレーム内の）第１のときにカメラの視界の中に存在しておらず、オブジェクトが、（第２のビデオフレーム内の）第１のときのあとの第２のときにカメラの視界の中に存在し、オブジェクトが、例えば１つ以上の物理的特性を有する等、１つ以上の基準を満たす場合に、小包であると判断されてよい。オブジェクトが小包であるかどうかを判断するために調べられる場合がある物理的特性の実施例は、サイズ、形状、色、及び１つの材料（または複数の材料）を含むが、これに限定されるものではない。例えば、オブジェクトがボール紙から作られ、茶色または白（出荷用段ボール箱の一般的な色）である場合、それは小包であると判断されてよい。
【０１１４】
本実施形態は、オブジェクトの物理的特性を調べ、オブジェクトが小包であるかどうかに関して決定を下すための多くのプロセスを意図する。例えば、一部の実施形態は、コンピュータビジョンを使用し、オブジェクトについての情報を収集し、次いでオブジェクトについての収集した情報を小包について記憶されている情報と比較して、一致があるかどうか判断することを含んでよい。例えば、本実施形態は、小包及び／または小包の物理的特性のデータベースを含んでよい。データベースは、既知の小包の写真を含んでよく、オブジェクトについて収集した情報を小包について記憶されている情報と比較することは、オブジェクトの写真を既知の小包の写真と比較することを含んでよい。コンピュータビジョンを使用し、オブジェクトについての情報を収集することは、１つ以上のカメラ、スキャナ、イメージャ等、及び／またはソナー等の１つ以上のセンサを使用することを含んでよい。
【０１１５】
図１５を参照すると、無線Ａ／Ｖ記録通信装置１３０のコンピュータビジョンモジュール１６３によって受け取られる情報は、コンピュータビジョンクエリー信号３１０で、例えばサーバ１１８及び／またはバックエンドＡＰＩ１２０等の１つ以上のネットワーク装置に送信されてよい。１つ以上のネットワーク装置は、次いで、例えば小包を識別するために一致があるかどうかを判断するために、送信された情報を解析してよい、及び／または送信された情報を１つ以上のデータベース内の他の情報と比較してよい。１つの例の実施形態では、小包についての送信された情報を、１つ以上のデータベース内の他の情報と比較して、一致があるかどうかを判断することは、例えば既知の小包の写真及び／または画像をある小包について、１つ以上の写真もしくは画像等の送信された情報を比較することを含んでよい。一致がある場合、次いで無線Ａ／Ｖ記録通信装置１３０が異なる操作モードに遷移する等、１つ以上のアクションが発生する場合がある。例えば、サーバ１１８及び／またはバックエンドＡＰＩ１２０等のネットワーク装置は、無線Ａ／Ｖ記録通信装置１３０にコンピュータビジョン応答信号３１２を送信してよい。コンピュータビジョン応答信号３１２は、無線Ａ／Ｖ記録通信装置１３０の操作モードを変更する、無線Ａ／Ｖ記録通信装置１３０に対するコマンドを含んでよい。例えば、無線Ａ／Ｖ記録通信装置１３０に対するコマンドは、無線Ａ／Ｖ記録通信装置１３０に、以下に説明するように、小包が無線Ａ／Ｖ記録通信装置１３０の周りの区域から取り除かれると、無線Ａ／Ｖ記録通信装置１３０が１つ以上の処置を講じるように構成される「武装モード」に遷移させてよい。
【０１１６】
別の例の実施形態では、小包が、無線Ａ／Ｖ記録通信装置１３０の周りの区域の中に残されていると判断することは、小包を配達した運送業者（例えば、郵便サービス、ＦｅｄＥｘ、ＵＰＳ等）からの情報を受け取ることを含んでよい。例えば、小包運送業者が小包を配達すると、または小包運送業者が小包を配達した後のある時点で、運送業者は、運送業者の小包追跡システムで小包の配達ステータスを更新して、小包が配達されたことを示す場合がある。運送業者の小包追跡システムは、次いでその情報を、例えばサーバ１１８及び／またはバックエンドＡＰＩ１２０等の１つ以上のネットワーク装置に転送してよく、サーバ１１８及び／またはバックエンドＡＰＩ１２０は、次いで情報を無線Ａ／Ｖ記録通信装置１３０に転送してよい。
【０１１７】
別の例の実施形態では、小包が、無線Ａ／Ｖ記録通信装置１３０の周りの区域の中に残されていると判断することは、自動識別及びデータ取得（ＡＩＤＣ）を含んでよい。例えば、小包は、バーコード３２０（図１６）、マトリックスコード３２２（図１７）、ボーコード３２４（図１８）、及び無線自動識別（ＲＦＩＤ）タグ３２６（図１９）のうちの少なくとも１つを含んでよい。ＡＩＤＣは、オブジェクトを自動的に識別する方法、オブジェクトについてのデータを収集する方法、及びそのデータを（例えば、人間の関与なしに）直接的にコンピュータシステムに入力する方法を指す。通常、ＡＩＤＣの一部と見なされている技術は、バーコード、マトリックスコード、ボーコード、ＲＦＩＤ、生体認証（例えば、虹彩認識、顔認識、音声認識等）、磁気ストライプ、光学式文字認識（ＯＣＲ）、及びスマートカードを含む。また、ＡＩＤＣは、一般に「自動識別」、「自動ＩＤ］、及び「自動データキャプチャ」とも呼ばれる。
【０１１８】
ＡＩＤＣは、特に画像及び／または音声の解析により外部データを入手することを含む。データを取り込むために、トランスデューサは、画像または音声をデジタルファイルに変換する場合がある。ファイルは、次いで通常コンピュータによって記憶及び解析され、及び／またはデータベース内の他のファイルと比較されて、アイデンティティを検証する、及び／または保護されたシステムに入るための許可を提供する。また、ＡＩＤＣは、オブジェクトを認識する方法、オブジェクトについての情報を得る方法、及びそのデータを人間の関与なしに直接的にコンピュータシステムに入力するまたはフィードする方法を指す。生体認証セキュリティシステムでは、キャプチャは、すべてがビデオデータまたは音声データを含んでよい音声プリントを伴う場合がある、例えば指の画像、掌の画像、顔の画像、または虹彩プリント等の特徴の取得、及び／またはそれらを取得し、識別するプロセスを指してよい。
【０１１９】
図１６に示される例のバーコード３２０等のバーコードは、バーコードが取り付けられるオブジェクトに関係するデータの光学機械可読表現である。バーコードは、平行する線の幅及び間隔を変えることによって組織的にデータを表し、線形つまり一次元（１Ｄ）バーコードと呼ばれる場合がある。
【０１２０】
図１７に示される例のマトリックスコード３２２等のマトリックスコードは、正方形または矩形のどちらかのパターンで配列された黒と白の「セル」つまりモジュールから成る２次元マトリックスバーコードである。符号化された情報は、テキスト及び／または数値データである場合がある。クイックレスポンス（ＱＲコード（登録商標））及びデータマトリックスコードは、特定の種類のマトリックスコードである。
【０１２１】
図１８に示される例のボーコード３２４等のボーコードは、同じ領域に対するバーコードよりもはるかに多い情報を保持する一種のデータタグである。ボーコードパターンは、タイル表示された一連のマトリックスコードである。ボーコードは円形である場合があり、マスク及びレンズで覆われたＬＥＤを含む場合がある。
【０１２２】
無線自動識別（ＲＦＩＤ）は、オブジェクトに取り付けられたタグを自動的に識別し、追跡するために電磁場を使用する。図１９に示される例のＲＦＩＤタグ３２６等のタグは、電子的に記憶された情報を含み、パッシブである場合もあれば、アクティブである場合もある。パッシブタブは、近傍のＲＦＩＤ読み取り装置の調査電波からエネルギーを収集する。アクティブタグは、例えば電池等の局所的な電源を有し、ＲＦＩＤ読み取り装置から数百メートルで動作し得る。バーコードとは異なり、タグは、視線の範囲内にある必要はないため、タグは追跡されるオブジェクトに埋め込められ得る。
【０１２３】
無線Ａ／Ｖ記録通信装置１３０は、これらの種類（または任意の他の種類）のＡＩＤＣ技術のうちの１つに埋め込まれた情報を取り込んでよい。例えば、図３を参照すると、無線Ａ／Ｖ記録通信装置１３０は、プロセッサ１６０に動作可能なように接続されたＡＩＤＣモジュール１６５を含んでよい。ＡＩＤＣモジュール１６５は、本明細書に説明する種類のＡＩＤＣのいずれかを含むが、これに限定されるものではない、ＡＩＤＣの１つ以上の種類のために構成されたハードウェア及び／またはソフトウェアを含んでよい。例えば、ＡＩＤＣモジュール１６５は、ＲＦＩＤ読み取り装置（図示せず）を含んでよく、無線Ａ／Ｖ記録通信装置１３０のカメラ１５４は、一部の実施形態では、ＡＩＤＣモジュール１６５の一部と見なされる場合がある。例えば、バーコード、マトリックスコード、及びボーコード（または任意の他の種類のコード）に関して、無線Ａ／Ｖ記録通信装置１３０のカメラ１５４は、コード、及びその中に埋め込まれた任意の情報を走査してよい。コードの走査を容易にするために、小包運送業者は、小包をカメラ１５４まで持ち上げる場合がある。ＲＦＩＤに関して、ＡＩＤＣモジュール１６５のＲＦＩＤ読み取り装置は、小包の上の、または小包の中に埋め込まれたＲＦＩＤタグ３２６を調査してよい。一部の実施形態では、無線Ａ／Ｖ記録通信装置１３０のプロセッサ１６０は、ＡＩＤＣモジュール１６５の一部と見なされる場合がある、及び／またはプロセッサ１６０は、種々のＡＩＤＣプロセスでＡＩＤＣモジュール１６５と連動して動作する場合がある。
【０１２４】
ＡＩＤＣ及びコンピュータビジョンは、かなり重なっており、本明細書でのこれらの用語のどちらか一方の使用は、これらの用語の他方の主題も包含すると解釈されるべきである。例えば、コンピュータビジョンモジュール１６３及びＡＩＤＣモジュール１６５は、重複するハードウェア構成要素及び／または機能性を含んでよい。一部の実施形態では、コンピュータビジョンモジュール１６３及びＡＩＤＣモジュール１６５は、単一のモジュールに結合されてよい。
【０１２５】
図２０を参照すると、無線Ａ／Ｖ記録通信装置１３０のＡＩＤＣモジュール１６５によって１つ以上のコードまたはタグから受け取られる情報は、ＡＩＤＣクエリー信号３３０で、例えばサーバ１１８及び／またはバックエンドＡＰＩ１２０等の１つ以上のネットワーク装置に送信されてよい。１つ以上のネットワーク装置は、次いで、例えば小包を識別するために一致があるかどうかを判断するために、送信された情報を解析してよい、及び／または送信された情報を１つ以上のコードデータベース内の他の情報と比較してよい。一致がある場合、次いで無線Ａ／Ｖ記録通信装置１３０が異なる操作モードに遷移する等、１つ以上のアクションが発生する場合がある。例えば、サーバ１１８及び／またはバックエンドＡＰＩ１２０等のネットワーク装置は、無線Ａ／Ｖ記録通信装置１３０にＡＩＤＣ応答信号３３２を送信してよい。ＡＩＤＣ応答信号３３２は、無線Ａ／Ｖ記録通信装置１３０の操作モードを変更する、無線Ａ／Ｖ記録通信装置１３０に対するコマンドを含んでよい。例えば、無線Ａ／Ｖ記録通信装置１３０に対するコマンドは、無線Ａ／Ｖ記録通信装置１３０に、以下に説明するように、小包が無線Ａ／Ｖ記録通信装置１３０の周りの区域から取り除かれると、無線Ａ／Ｖ記録通信装置１３０が１つ以上の処置を講じるように構成される「武装モード」に遷移させてよい。
【０１２６】
図１４をさらに参照すると、ブロックＢ３０２で、プロセスは、小包が、無線Ａ／Ｖ記録通信装置１３０の周りの区域から取り除かれたと判断する。本実施形態は、小包が無線Ａ／Ｖ記録通信装置の周りの区域から取り除かれたと判断する任意の方法を含み、いくつかの実施例が以下に提供される。しかしながら、本実施形態は、例示のためだけに提供されるこれらの実施例に限定されていない。本実施形態のいずれかだけではなく、以下に説明する実施例のいずれも、コンピュータビジョンの１つ以上の態様を含んでよい。
【０１２７】
１つの例の実施形態では、小包が無線Ａ／Ｖ記録通信装置１３０の周りの区域から取り除かれたと判断することは、無線Ａ／Ｖ記録通信装置１３０のカメラ１５４によって記録されるビデオフレームを比較することを含んでよい。例えば、小包が無線Ａ／Ｖ記録通信装置１３０の周りの区域内に残されていると判断された後、小包は、それが残された位置で静止したままである可能性が高い。したがって、小包が（第１のビデオフレーム内の）第１のときにカメラの視界の中に存在しており、（第２のビデオフレーム内の）第１のときのあとの第２のときにカメラの視界の中にもはや存在していない場合、次いで小包は無線Ａ／Ｖ記録通信装置１３０の周りの区域から取り除かれたと判断されてよい。
【０１２８】
別の例の実施形態では、小包が、無線Ａ／Ｖ記録通信装置１３０の周りの区域から取り除かれたと判断することは、ＡＩＤＣを含んでよい。例えば、小包がＲＦＩＤタグを含む場合、次いでＡＩＤＣモジュール１６５のＲＦＩＤ読み取り装置は、ＲＦＩＤタグがもはや調査信号に応答していないことを検出してよい。一部の実施形態では、ＲＦＩＤ読み取り装置が閾値数の調査信号を送信し、小包のＲＦＩＤタグから応答を受信しない場合、プロセスは、小包が、無線Ａ／Ｖ記録通信装置１３０の周りの区域から取り除かれたと判断してよい。一部の実施形態では、応答なしの閾値数の調査信号は、１つの調査信号、または２つの調査信号、または３つの調査信号、または任意の他の数の調査信号であってよい。
【０１２９】
図１４をさらに参照すると、ブロックＢ３０４で、プロセッサは、無線Ａ／Ｖ記録通信装置１３０の周りの区域からの小包の除去が、許可されていたかどうかを判断する。本実施形態は、小包の無線Ａ／Ｖ記録通信装置１３０の周りの区域からの除去が許可されていたかどうかを判断する任意の方法を含み、いくつかの実施例が以下に提供される。しかしながら、本実施形態は、例示のためだけに提供されるこれらの実施例に限定されていない。本実施形態のいずれかだけではなく、以下に説明する実施例のいずれも、コンピュータビジョンの１つ以上の態様を含んでよい。
【０１３０】
１つの例の実施形態では、小包の無線Ａ／Ｖ記録通信装置１３０の周りの区域からの除去が許可されていたと判断することは、小包の移動の方向を検出する（また追跡する）ことを含んでよい。例えば、小包が家の正面玄関の外に残されると、住居所有者（または他の占有者）は、通常小包を拾い上げ、小包を家の中に持ち込む。対照的に、小包窃盗犯は、通常、小包を拾い上げてそれを家から運び去るであろう。したがって、無線Ａ／Ｖ記録通信装置１３０が、小包が、無線Ａ／Ｖ記録通信装置１３０が固定される（または、無線Ａ／Ｖ記録通信装置１３０が関連付けられる）構造物に向かって移動中であることを検出すると、次いでプロセスは、無線Ａ／Ｖ記録通信装置１３０の周りの区域からの小包の除去が許可されていると判断してよい。しかし、無線Ａ／Ｖ記録通信装置１３０が、小包が、無線Ａ／Ｖ記録通信装置１３０が固定される（または、無線Ａ／Ｖ記録通信装置１３０が関連付けられる）構造物から離れていくことを検出すると、プロセスは、Ａ／Ｖ記録通信装置１３０の周りの区域からの小包の除去が許可されていないと判断してよい。
【０１３１】
別の例の実施形態では、小包の無線Ａ／Ｖ記録通信装置１３０の周りの区域から取り除かれたと判断することは、ＡＩＤＣ及び／またはコンピュータビジョンを含んでよい。例えば、許可された人物（例えば、小包の名宛人）が、小包を無線Ａ／Ｖ記録通信装置１３０の周りの区域から取り除く場合、無線Ａ／Ｖ記録通信装置１３０は、許可された人物から情報を受け取る場合がある。例えば、許可された人物は、無線Ａ／Ｖ記録通信装置１３０に身元確認または認証情報を提示してよい。無線Ａ／Ｖ記録通信装置１３０のカメラ１５４及び／またはＡＩＤＣモジュール１６５及び／またはプロセッサ１６０は、無線Ａ／Ｖ記録通信装置１３０の周りの区域から小包を取り除く人物が許可されている人物であると判断する上で使用される身元確認または認証情報から情報を受け取ってよい。小包が、無線Ａ／Ｖ記録通信装置１３０の周りの区域から取り除かれるときに身元確認もしくは認証情報が提示されない場合、または身元確認もしくは認証情報が提示されるが、それらが予想される身元確認もしくは認証情報に一致しない場合、次いでプロセスは、無線Ａ／Ｖ記録通信装置１３０の周りの区域から小包を取り除く人物が許可されている人物ではないと判断してよい。一部の実施形態では、人物が、無線Ａ／Ｖ記録通信装置１３０の周りの区域の中で検出されるとき、及び／または無線Ａ／Ｖ記録通信装置１３０が、小包が移動されたもしくは拾い上げられたことを検出するとき、無線Ａ／Ｖ記録通信装置１３０は、身元確認もしくは認証情報を要求する、例えばスピーカから発せられる音声プロンプト等のプロンプトを提供してよい。
【０１３２】
上述のプロセスで使用できるであろう身元確認または認証情報の実施例は、バーコード３２０もしくはマトリックスコード３２２を記載したカード（または他のキャリヤまたは基板）、またはボーコード３２４、またはＲＦＩＤタグ３２６、または（例えばスマートカード、チップカードもしくは集積回路カード（ＩＣＣ）内に）埋め込まれた集積回路、または磁気ストライプを含むが、これに限定されるものではない。図２１は、埋め込まれた集積回路３４２を含んだスマートカード３４０の実施例を示し、図２２は、磁気ストライプ３４６を含んだカード３４４の実施例を示す。
【０１３３】
図２１に示される例のスマートカード３４０等のスマートカード、チップカード、または集積回路カード（ＩＣＣ）は、１つ以上の埋め込まれた集積回路を有する任意のポケットサイズのカードである。スマートカードは、コンタクトまたはコンタクトレスのいずれかであってよい。コンタクトスマートカードは、コンタクトパッドを含んだ接触域を含む。これらのパッドは、読み取り装置に差し込まれるとき電気接続性を提供し、これがスマートカードとホスト（例えば、コンピュータまたは売り場専用端末）との間の通信媒体としての機能を果たす。コンタクトスマートカードは、電池を含まない。代わりに、電力は、カード読み取り装置から供給される。コンタクトレススマートカードを用いると、カードはＲＦ誘導技術により読み取り装置と通信し、読み取り装置によって電力を供給される。これらのカードは、通信するためにアンテナに対する近接だけを必要とする。コンタクトスマートカードのように、コンタクトレスカードは、内部電源を含まない。代わりに、コンタクトレスカードは、入射無線調査信号の一部を取り込み、それを整流し、それを使用してカードの電子機器に電力を供給するためにインダクタを使用する。
【０１３４】
図２２に示される例のカード３４４等の磁気ストライプカードは、カード上の磁性体の帯の上で鉄をベースにしたわずかな磁粉の磁気を修正することによってデータを記憶できる一種のカードである。マグストライプ（ｍａｇｓｔｒｉｐｅ）と呼ばれることもある磁気ストライプは、磁気読み取りヘッドを通り越してスワイプすることによって読み取られる。
【０１３５】
上述のプロセスで使用できるであろう身元確認または認証情報のさらなる実施例は、光学式文字認識（ＯＣＲ）によりＡＩＤＣモジュール１６５及び／またはカメラ１５４及び／またはプロセッサ１６０による入力として受け取ることができるテキストを記載したカード（または他のキャリヤまたは基板）を含むが、これに限定されるものではない。ＯＣＲは、入力されたテキスト、手書きのテキスト、または印刷されたテキストの画像の機械符号化テキストへの機械的または電気的な変換である。
【０１３６】
人物のアイデンティティ及び／または承認を検証するために本実施形態で使用できるＡＩＤＣ及び／またはコンピュータビジョンの追加の実施例は、生体認証を含むが、これに限定されるものではない。生体認証は、人間の特徴に関係する測定基準を指す。生体認証の認証（または現実的な認証）は、種々の形の識別及びアクセスコントロールで使用される。生体認証識別子は、個人を分類し、記述するために使用される顕著で測定可能な特徴である。生体認証識別子は、生理的特徴及び／または行動特性である場合がある。生理的特徴は、体の形に関係する場合がある。実施例は、指紋、掌静脈、顔認識、３次元顔認識、肌のきめ分析、ＤＮＡ、掌紋、掌形認識、虹彩認識、網膜認識、及び匂い／香り認識を含むが、これに限定されるものではない。行動特性は、タイピングのリズム、歩き方、及び音声認識を含むが、これに限定されるものではない、人物の行動のパターンに関係してよい。
【０１３７】
本実施形態は、小包を無線Ａ／Ｖ記録通信装置１３０の周りの区域から取り除く人物を識別及び／または認証するために、上述の生体認証のうちの任意の１つ、または１つ以上の任意の組み合わせを使用してよい。例えば、コンピュータビジョンモジュール１６３、ＡＩＤＣモジュール１６５、及び／またはカメラ１５４、及び／またはプロセッサ１６０は、上述の生体認証のうちの任意の１つ、または１つ以上の任意の組み合わせを使用し、人物についての情報を受け取ってよい。
【０１３８】
小包の無線Ａ／Ｖ記録通信装置１３０の周りの区域からの除去が許可されていたかどうかを判断する別の態様は、ＡＩＤＣ（及び／またはコンピュータビジョン）を通して受け取られた情報を、１人以上の人物についての情報と比較することを含んでよい。図２０を参照すると、無線Ａ／Ｖ記録通信装置１３０のＡＩＤＣモジュール１６５（及び／またはコンピュータビジョンモジュール１６３）及び／またはカメラ１５４及び／またはプロセッサ１６０によって受け取られる情報は、ＡＩＤＣクエリー信号３３０で、例えばサーバ１１８及び／またはバックエンドＡＰＩ１２０等の１つ以上のネットワーク装置に送信されてよい。１つ以上のネットワーク装置は、次いで無線Ａ／Ｖ記録通信装置１３０の周りの区域で検出された人物についてのＡＩＤＣクエリー信号３３０の情報を、１つ以上のソースからの情報と比較してよい。これらの情報源は、１つ以上のデータベース及び／またはサービスを含んでよい。例えば、データベース及び／またはサービスは、許可された人物のスマートリストを含んでよい。小包を取り除いた人物が、許可された人物のスマートリスト上に記載されている場合には、次いで小包の無線Ａ／Ｖ記録通信装置１３０の周りの区域からの除去は許可されていると判断されてよい。
【０１３９】
一部の実施形態では、ＡＩＤＣクエリー信号３３０の情報は、無線Ａ／Ｖ記録通信装置１３０の周りの区域から小包を取り除くことを許可される１人以上の人物についての情報と比較されてよい。例えば、１人以上の許可されている人物についての生体認証情報（または他のＡＩＤＣ／コンピュータビジョン情報）は、アップロードされ、例えばサーバ１１８及び／またはバックエンドＡＰＩ１２０等の１つ以上のネットワーク装置にアクセス可能な１つ以上のデータベース及び／またはサービスに記憶されてよい。この情報とＡＩＤＣクエリー信号３３０の情報との比較（複数可）は、無線Ａ／Ｖ記録通信装置１３０の周りの区域で検出された人物が、許可されている人物であるかどうかを判断してよい。比較（複数可）は、例えばサーバ１１８及び／またはバックエンドＡＰＩ１２０等の１つ以上のネットワーク装置によって実行されてよい。
【０１４０】
他の実施形態では、ＡＩＤＣクエリー信号３３０の情報は、１つ以上の犯罪及び／または疑わしい事象と関連して報告されたことがある１人以上の人物についての情報と比較されてよい。一部の実施形態では、犯罪（複数可）及び／または疑わしい事象（複数可）は、無線Ａ／Ｖ記録通信装置１３０の定められた半径範囲内で発生した可能性がある。例えば、無線Ａ／Ｖ記録通信装置の第１のユーザーは、自分の装置によって記録されたビデオ映像を見て、ビデオ映像の中の１人または複数の人物が疑わしい活動及び／または犯罪活動に関与しているまたは関与している可能性があると判断する場合がある。第１のユーザーは、次いで、例えば無線Ａ／Ｖ記録通信装置の他のユーザー等の１人以上の他の人、及び／または１つ以上の法執行機関を含んだ１つ以上の組織とそのビデオ映像を共用してよい。本実施形態は、無線Ａ／Ｖ記録通信装置１３０の周りの区域で検出された人物が、共用されたビデオ映像の（及び／または共用されたビデオ映像中に示される）対象者であった同じ人物であるのかどうかを判断するための、ＡＩＤＣクエリー信号３３０の情報との比較で使用するためにこの共用ビデオ映像を利用してよい。無線Ａ／Ｖ記録通信装置１３０の回りの区域で検出された人物が、１つ以上の犯罪及び／または疑わしい事象に関連して報告された同じ人物である場合、次いでその人物は、おそらく無線Ａ／Ｖ記録通信装置１３０の周りの区域から小包を取り除くことを許可されている人物ではない。一部の実施形態では、共用されたビデオ映像に示される人物（または複数の人物）は、１つ以上の小包窃盗の犯人（複数可）である場合がある。さらに、それらの小包窃盗は、無線Ａ／Ｖ記録通信装置１３０の周りの定められた半径範囲内で発生した可能性がある。無線Ａ／Ｖ記録通信装置からビデオ映像を共用する追加の説明は、両方ともあたかも完全に説明されるかのようにその全体を参照することによって本明細書に援用される、（２０１６年１月２９日に出願され、「ＳＨＡＲＩＮＧ  ＶＩＤＥＯ  ＦＯＯＴＡＧＥ  ＦＲＯＭ  ＷＩＲＥＬＥＳＳ  ＡＵＤＩＯ／ＶＩＤＥＯ  ＲＥＣＯＲＤＩＮＧ  ＡＮＤ  ＣＯＭＭＵＮＩＣＡＴＩＯＮ  ＤＥＶＩＣＥＳと題する）米国特許出願第６２／２８８，９７１号、及び（２０１６年２月２６日に出願され、「ＳＨＡＲＩＮＧ  ＶＩＤＥＯ  ＦＯＯＴＡＧＥ  ＦＲＯＭ  ＷＩＲＥＬＥＳＳ  ＡＵＤＩＯ／ＶＩＤＥＯ  ＲＥＣＯＲＤＩＮＧ  ＡＮＤ  ＣＯＭＭＵＮＩＣＡＴＩＯＮ  ＤＥＶＩＣＥＳ」と題する）米国特許出願第６２／３００，５４７号で提供される。
【０１４１】
別の例の実施形態では、ＡＩＤＣ及び／またはコンピュータビジョンは、無線Ａ／Ｖ記録通信装置１３０のカメラ１５４が、無線Ａ／Ｖ記録通信装置１３０の周りの区域内の人物の画像を取り込むことを含んでよい。人物の画像は、人物の顔の画像を含んでよい。人物の顔の画像は、少なくとも１人の他の人物の顔（複数可）の画像（複数可）と比較されてよい。一部の実施形態では、少なくとも１人の他の人物は、例えば小包窃盗等の疑わしい活動及び／または犯罪活動との関連で報告された１人または複数の人物であってよい。比較（複数可）は、サーバ１１８及び／またはバックエンドＡＰＩ１２０等の１つ以上のネットワーク装置によって実行されてよい。無線Ａ／Ｖ記録通信装置１３０のカメラ１５４によって取り込まれた人物の顔の画像と、少なくとも１人の他の人物の顔（複数可）の少なくとも１つの画像との間で一致が見出される場合、次いでプロセスは、小包の無線Ａ／Ｖ記録通信装置１３０の周りの区域からの除去が許可されていなかったと判断してよい。プロセスは、次いで、本明細書に説明するアラート種類のいずれかまたはすべてを含む場合がある、アラートを生成してよい。
【０１４２】
図２０をさらに参照すると、例えば、サーバ１１８及び／またはバックエンドＡＰＩ１２０等のネットワーク装置は、無線Ａ／Ｖ記録通信装置１３０にＡＩＤＣ応答信号３３２を送信してよい。一部の実施形態では、ＡＩＤＣ応答信号３３２は、ＡＩＤＣクエリー信号３３０内の情報と、無線Ａ／Ｖ記録通信装置１３０の周りの区域から小包を取り除くことを許可される１人以上の人物についての情報及び／または１つ以上の犯罪及び／または疑わしい事象との関連で報告されたことがある１人以上の人物についての情報との比較が行われた後に送信されてよい。ＡＩＤＣ応答信号３３２は、無線Ａ／Ｖ記録通信装置１３０の周りの区域で検出された人物が、その区域から小包を取り除くことを許可されているかどうかについてのインジケータ（及び／または情報）を含んでよい。
【０１４３】
図１４をさらに参照すると、ブロックＢ３０６で、無線Ａ／Ｖ記録通信装置１３０の周りの区域からの小包の除去が、許可されていなかったと判断されたとき、プロセスはアラートを生成してよい。一部の実施形態では、アラートは、クライアントデバイスに送信されるアラート信号を含んでよい。例えば、アラートは、音声及び／またはビデオデータが、ユーザーの無線ネットワーク１１０及びネットワーク１１２を介して無線Ａ／Ｖ記録通信装置１３０からユーザーのクライアントデバイス１１４に送信される（ストリーミング配信される）図２のブロックＢ２６８に関して上述されたプロセスと類似または同じであってよい。ストリーミングビデオは、許可されていなかったと判断された人物（複数可）の画像を含んでよい。ユーザーは、次いで、例えば法執行機関に通報する、及び／または例えばソーシャルメディアを介して他の人とビデオ映像を共用する等の追加の処置を講じるかどうかを判断できる。
【０１４４】
一部の実施形態では、アラートは、無線Ａ／Ｖ記録通信装置１３０のスピーカ１５２から発せられる警報音を含んでよい。警報音は、注意をひく及び／または許可されていない人物を驚かせ、人物が小包（複数可）を盗むことなく逃げやすくする可能性がある任意の大きな雑音であってよい。一部の実施形態では、アラートは、無線Ａ／Ｖ記録通信装置１３０のスピーカ１５２から発せられるアナウンスを含んでよい。アナウンスは、無線Ａ／Ｖ記録通信装置１３０の周りの区域が記録されている旨の口頭での警告を含んでよい。許可されていない人物は、無線Ａ／Ｖ記録通信装置１３０の周りの区域が記録されていることを知らされると、小包（複数可）を盗むことなく現場から逃走することを決める場合がある。一部の実施形態では、アラートは、警報音とアナウンスの両方を組み合わせて含んでよい。また、一部の実施形態では、アラートは、クライアントデバイスに送信されるアラート信号、無線Ａ／Ｖ記録通信装置１３０のスピーカ１５２から発せられる警報音、及び無線Ａ／Ｖ記録通信装置１３０のスピーカ１５２から発せられるアナウンスの任意の組み合わせを含んでよい。
【０１４５】
本実施形態のいくつかは、無線Ａ／Ｖ記録通信装置１３０の周りの区域の中で小包を識別することを含んでよい。一部の実施形態では、小包を識別することは、無線Ａ／Ｖ記録通信装置１３０のカメラ１５４が、小包上の識別マークの画像を取り込むことを含んでよい。種々の実施形態では、識別マークは、例えば、企業のロゴまたは他の識別記号であってよい。小包上の識別マークは、データベース内の複数の識別マークと比較されてよい。一致が見つけられると、小包は、一致する識別マークと関連付けられた送り主から発生していると識別されてよい。他の実施形態では、識別マークは、例えばバーコード、マトリックスコード、ボーコード等であってよい。一部の実施形態では、ＲＦＩＤ（または他の類似した技術）が、小包を識別するために使用されてよい。
【０１４６】
図２３は、本開示の種々の態様に従って無線Ａ／Ｖ記録通信装置を用いて小包窃盗を抑止するためのプロセスの例の一実施形態を示す。ブロックＢ３５０で、プロセスは、小包が、例えば上述した無線Ａ／Ｖ記録通信装置１３０等の無線Ａ／Ｖ記録通信装置の周りの区域の中に残されていると判断してよい。本実施形態は、上述した実施例のいずれかを含んだ、小包が無線Ａ／Ｖ記録通信装置の周りの区域の中に残されていると判断する任意の方法を含む。しかしながら、本実施形態は、例示のためだけに提供されるこれらの実施例に限定されていない。
【０１４７】
図２３をさらに参照すると、ブロックＢ３５２で、小包が、無線Ａ／Ｖ記録通信装置１３０の周りの区域の中に残された後に、プロセスは、無線Ａ／Ｖ記録通信装置１３０の周りの区域の中で人物を検出してよい。無線Ａ／Ｖ記録通信装置１３０の周りの区域の中での人物の検出は、例えば無線Ａ／Ｖ記録通信装置１３０のカメラ１５４によって記録されるビデオフレームを比較すること等、本明細書に説明するプロセスのいずれかに従ってよい。
【０１４８】
図２３をさらに参照すると、ブロックＢ３５４で、プロセスは、無線Ａ／Ｖ記録通信装置１３０の周りの区域の中の人物のビデオ画像を、無線Ａ／Ｖ記録通信装置１３０のカメラ１５４を用いて記録してよい。ブロックＢ３５６で、プロセスは、無線Ａ／Ｖ記録通信装置１３０のスピーカ１５２からアラートを発してよい。アラートは、上述した例の実施形態と同様に、警報音及び／またはアナウンスの組み合わせて含んでよい。
【０１４９】
本実施形態のいずれかでは、方法の種々の態様は、例えば無線Ａ／Ｖ記録通信装置１３０の１つ以上の構成要素によって局所的に実行されてよい、及び／または例えばサーバ１１８及び／またはバックエンドＡＰＩ１２０等の１つ以上のネットワーク装置によって例えば遠隔で実行されてよい。例えば、無線Ａ／Ｖ記録通信装置１３０のプロセッサ１６０は、例えば小包が、無線Ａ／Ｖ記録通信装置１３０の周りの区域の中に残されているかどうかを、及び小包が無線Ａ／Ｖ記録通信装置１３０の周りの区域から取り除かれていると判断するために無線Ａ／Ｖ記録通信装置１３０のカメラ１５４によって記録されるビデオフレームを比較すること等の、これに限定されるものではない種々の態様を実行してよい。
【０１５０】
本実施形態の多くは、無線Ａ／Ｖ記録通信装置１３０によって検出される、または無線Ａ／Ｖ記録通信装置１３０の周りの区域に存在する人物に関して説明されてきた。しかしながら、本実施形態は、人間を関与させる状況に限定されない。例えば、本実施形態は、小包窃盗が人間である必要がないと考える。例えば、小包窃盗ボットまたはドローンは、本実施形態のいずれかに含まれてよい。例えば、本明細書で説明する任意のプロセスに類似するプロセスでは、小包が、無線Ａ／Ｖ記録通信装置１３０の周りの区域の中に残された後に、プロセスは、無線Ａ／Ｖ記録通信装置１３０の周りの区域の中で小包窃盗ボットまたはドローンを検出してよい。また、プロセスは、無線Ａ／Ｖ記録通信装置１３０の周りの区域の中の小包窃盗ボットまたはドローンのビデオ画像を、無線Ａ／Ｖ記録通信装置１３０のカメラ１５４を用いて記録してよい。
【０１５１】
本実施形態のいずれかは、指定された小包配達区域を含んでよい。例えば、ユーザーは、無線Ａ／Ｖ記録通信装置１３０の周りの特定の区域を小包配達区域として指定してよい。小包配達区域は、例えば舗装道路及び／または隣接する壁（複数可）に設けられたマーク及び／またはテキスト等、任意の適切な方法で画定されてよい。小包が無線Ａ／Ｖ記録通信装置１３０の周りの区域の中に残されたかどうかを判断するプロセス、及び／または小包が無線Ａ／Ｖ記録通信装置１３０の周りの区域の中から取り除かれたかどうかを判断するプロセスは、オブジェクトが指定された小包配達区域の中に残されたのか、及び／または指定された小包配達区域から取り除かれたのかを判断することを含んでよい。ユーザーは、一部の実施形態では、オブジェクトが指定された小包配達区域の中に残されたのか及び／または指定された小包配達区域から取り除かれたのかを判断することを容易にするために、無線Ａ／Ｖ記録通信装置１３０のカメラ１５４を指定された小包配達区域に向けてよい、または指定された小包配達区域に照準を合わせてよい。
【０１５２】
図２４は、本開示の種々の態様に係るデュアルカメラＡ／Ｖ記録通信装置を使用する小包窃盗抑止用システムの一実施形態の図である。システム４００は、ネットワーク（インターネット／ＰＳＴＮ）４０８に接続するためにユーザーのネットワーク４０４にアクセスするように構成されたデュアルカメラＡ／Ｖ記録通信装置４０２を含んでよい。ユーザーのネットワーク４０４及び／またはネットワーク４０８は、構造及び／または機能においてそれぞれユーザーのネットワーク１１０及びネットワーク１１２（図１）に類似してよい。
【０１５３】
一部の実施形態では、デュアルカメラＡ／Ｖ記録通信装置４０２は、構造及び／または機能においてＡ／Ｖ記録通信装置１３０（図３〜図１３）に類似し、第２のカメラの追加の特徴を有してよい。例えば、デュアルカメラＡ／Ｖ記録通信装置４０２は、構造及び／または機能においてＡ／Ｖ記録通信装置１３０のカメラ１５４に類似する（または同一の）第１のカメラ、及び第２のカメラを含んでよい。特定の実施形態では、第２のカメラも、構造及び／または機能においてＡ／Ｖ記録通信装置１３０のカメラ１５４に類似して（同一で）よい。追加の実施形態では、第２のカメラは、第１のカメラと少なくともいくつかの構成要素を共用するように構成されてよい。言い換えると、デュアルカメラＡ／Ｖ記録通信装置４０２は、必ずしも第１のカメラに対応する構成要素の第１のセット、及び第２のカメラに対応する構成要素の同一の第２のセットを含むのではなく、第１のカメラ及び第２のカメラはむしろ、例えばイメージングプロセッサ等のいくつかの構成要素を共用してよい。他の実施形態では、第２のカメラは、第１のカメラが有していない１つ以上の追加の構成要素を含む場合がある。
【０１５４】
図２４を参照すると、システム４００は、デュアルカメラＡ／Ｖ記録通信装置４０２とネットワーク通信するように構成されたユーザーのクライアントデバイス４０６を含んでよい。また、システム４００は、以下にさらに説明するように、小包窃盗抑止のために引き渡しゾーンを監視するためのデュアルカメラＡ／Ｖ記録通信装置４０２とネットワーク通信するストレージデバイス４１２及びバックエンドサーバ４１０を含んでもよい。一部の実施形態では、ストレージデバイス４１２は、（示されるように）バックエンドサーバ４１０とは別個の装置である場合もあれば、バックエンドサーバ４１０の一体化した構成要素である場合もある。一部の実施形態では、ユーザーのクライアントデバイス４０６及びストレージデバイス４１２は、構造及び／または機能においてそれぞれユーザーのクライアントデバイス１１４及びストレージデバイス１１６（図１）に類似してよい。また、一部の実施形態では、バックエンドサーバ４１０も、構造及び／または機能においてサーバ１１８及び／またはバックエンドＡＰＩ１２０（図１）に類似してよい。
【０１５５】
図２５は、本開示の態様に係るデュアルカメラＡ／Ｖ記録通信装置４０２の一実施形態の機能ブロック図である。デュアルカメラＡ／Ｖ記録通信装置４０２は、第１のカメラ４２２、第２のカメラ４２４、スピーカ４４４、及び通信モジュール４４０に動作可能なように接続される処理モジュール４２６を含んでよい。処理モジュール４２６は、プロセッサ４２８、揮発性メモリ４３０、及びゾーンモニタアプリケーション４３４を含む不揮発性メモリ４３２を含んでよい。ゾーンモニタアプリケーション４３４は、以下にさらに説明するように、引き渡しゾーンを監視するための１つ以上のプロセスを実行するようにプロセッサ４２８を構成してよい。また、不揮発性メモリ４３２は、第２のカメラ４２２により取り込まれた画像データ４３８、及び／または第１のカメラ４２４によって取り込まれた画像データを含んでもよい。さらに、一部の実施形態では、通信モジュール４４０は、無線信号を送信及び受信するように構成された１つ以上のトランシーバ及び／または無線アンテナ（図示せず）を含んでよい（が、これに限定されるものではない）。追加の実施形態では、通信モジュール４４０は、有線信号及び／または無線信号を送信及び受信するように構成された１つ以上のトランシーバを含んでよい（が、これに限定されるものではない）。
【０１５６】
図２５をさらに参照すると、デュアルカメラＡ／Ｖ記録通信装置４０２は、処理モジュール４２６に動作可能なように接続されるＲＦＩＤ読み取り装置４４２も含んでよい。ＲＦＩＤ読み取り装置４４２は、以下にさらに説明するように、小包の上または中に位置するアクティブＲＦＩＤタグまたはパッシブＲＦＩＤタグからＲＦＩＤデータ４６０を取り込むように構成されてよい。例えば、一部の実施形態では、ＲＦＩＤ読み取り装置４４２は、電磁場を使用することによって小包上または中に位置するパッシブＲＦＩＤタグを調査するように構成されてよい。係る実施形態では、パッシブＲＦＩＤタグは、ＲＦＩＤ読み取り装置４４２の調査電波からエネルギーを収集し、配達されている小包に関してＲＦＩＤ読み取り装置４４２に記憶されている情報を電子的に返してよい。他の実施形態では、ＲＦＩＤ読み取り装置４４２は、例えば電池（であるが、これに限定されるものではない）等の局所的な電源を含む場合があるアクティブＲＦＩＤタグからＲＦＩＤデータ４６０を取り込み、配達されている小包に関してＲＦＩＤ読み取り装置４４２に記憶されている情報を電子的に返すように構成されてよい。ＲＦＩＤ読み取り装置４４２によって得られる情報は、例えば本明細書に説明するプロセスのいずれか等、１つ以上の以後のプロセスで使用されてよい。
【０１５７】
図２５に示される実施形態では、処理モジュール４０２、通信モジュール４４０、及びＲＦＩＤ読み取り装置４４２を含む（が、これに限定されるものではない）種々の構成要素は、別々のボックスで表される。しかしながら、図２５に示されるグラフィック表示は一実施例にすぎず、デュアルカメラＡ／Ｖ記録通信装置４０２の種々の構成要素のいずれかは、それらは一部の実施形態ではそうであるかもしれないが、必ずや物理的に互いと別個であることを示すことを目的としていない。しかしながら、他の実施形態では、これらの構成要素のうちのいずれかまたはすべての構造及び／または機能性は、結合されてもよい。例えば、通信モジュール４４０及び／またはＲＦＩＤ読み取り装置４４２のどちらかまたは両方は、それ自体のプロセッサ、揮発性メモリ、及び／または不揮発性メモリを含んでよい。
【０１５８】
図２６は、本開示の態様に係るバックエンドサーバ４１０の一実施形態の機能ブロック図である。バックエンドサーバ４１０は、プロセッサ４５２、揮発性メモリ４５４、及びサーバアプリケーション４５８を含む不揮発性メモリ４５６を含んでよい。サーバアプリケーション４５８は、以下にさらに説明するように、第２のカメラ４２４を使用し、取り込まれた引き渡しゾーンの画像データ４３８を受け取ることと、小包がいつ引き渡しゾーンに置かれたのかを判断することと、小包がいつ引き渡しゾーンから取り除かれたのかを判断することと、ユーザーの装置４０６に通知を送信することとを含む（が、これに限定されるものではない）引き渡しゾーンを監視するための種々の機能を実行するようにプロセッサ４５２を構成するために使用されてよい。一部の実施形態では、不揮発性メモリ４５６は、ＲＦＩＤ読み取り装置４４２を使用し、取り込まれたＲＦＩＤデータ４６０を含んでもよい。また、バックエンドサーバ４１０は、ネットワーク４０８（インターネット／ＰＳＴＮ）を介して通信するためのネットワークインタフェース４６２を含んでもよい。一部の実施形態では、バックエンドサーバ４１０は、以下にさらに説明するように、引き渡しゾーンを監視するためにデュアルカメラＡ／Ｖ記録通信装置４０２と連動してまたは無関係にプロセスを実行するように構成されてよい。
【０１５９】
図２７は、本開示の態様に従って引き渡しゾーン４７６を監視するデュアルカメラＡ／Ｖ記録通信装置４０２を示す図４７０である。図４７０は、配達時、小包が残されるために、ユーザーが指定した引き渡しゾーン４７６を示す。引き渡しゾーン４７６は、デュアルカメラＡ／Ｖ記録通信装置４０２の周りの区域または任意の指定された小包配達区域を含む（が、これに限定されるものではない）小包が配達されるための所望される場所としてユーザーが指定する任意の区域であってよい。一部の実施形態では、引き渡しゾーン４７６は、それが小包配達運送業者に容易に識別可能となるように、標識、ペンキ、テープ、及び／または任意の他の種類もしくはタイプのマーカ（図示せず）で記されてよい。
【０１６０】
また、図２７の図４７０は、第１のカメラ４２２の視界４７２及び第２のカメラ４２４の視界４７４も示す。第２のカメラ４２４の視界４７４は、引き渡しゾーン４７６と少なくとも重複し、これにより第２のカメラ４２４は、引き渡しゾーン４７６の画像データを取り込むように構成される。一部の実施形態では、第２のカメラ４２４の視界４７４は、引き渡しゾーン４７６を完全にカバーしてよく、これにより引き渡しゾーン４７６のどの部分も第２のカメラ４２４の視界４７４の外部にない。デュアルカメラＡ／Ｖ記録通信装置４０２を使用し、引き渡しゾーン４７６を監視するためのプロセスを以下にさらに説明する。特定の視野４７２、４７４、及び引き渡しゾーンを監視するための引き渡しゾーン４７６は、図２７に関して上述されているが、特定の用途の態様に対する必要に応じたさまざまな視界及びカメラ配置のいずれも本開示の実施形態に従って使用できる。
【０１６１】
図２８は、デュアルカメラＡ／Ｖ記録通信装置４０２を使用し、引き渡しゾーン４７６を監視するためのプロセス５００の一実施形態を示すフローチャートである。プロセス５００は、第２のカメラ４２４を使用し、引き渡しゾーン４７６の画像データを取り込むこと（ブロックＢ５０２）を含んでよく、第２のカメラ４２４は、図２７に関して上述したように、引き渡しゾーン４７６を含む視界を有するように構成されてよい。種々の実施形態では、画像データは、露光指数及び特定のサイズのグリッドのためのピクセル値に関するデータ等（であるが、これに限定されるものではない）の画像センサデータを含んでよい。さらに、画像データは、例えばＪＰＥＧ、ＪＰＥＧ２０００、ＴＩＦＦ、ＢＭＰ、またはＰＮＧ等（であるが、これに限定されるものではない）の標準画像ファイルフォーマットのための変換された画像センサデータを含んでよい。さらに、画像データは、ビデオに関係するデータも含んでよく、係るデータは、画像シーケンス、フレームレート等を含んでよい（が、これに限定されるものではない）。さらに、画像データは、アナログ、デジタル、未圧縮、圧縮である、及び／またはベクトルフォーマットであるデータを含んでよい。画像データは、本実施形態に従って特定の用途の態様に対して必要に応じて種々の形及びフォーマットをとってよい。
【０１６２】
図２８をさらに参照すると、プロセス５００は、以下にさらに説明するように、第２のカメラ４２４により取り込まれた引き渡しゾーン４７６の画像データを使用し、小包がいつ引き渡しゾーン４７６に置かれたのかを判断すること（ブロックＢ５０４）を含んでもよい。小包が引き渡しゾーン４７６に置かれていないと判断される場合、次いでプロセス５００は、第２のカメラ４２４を使用し、引き渡しゾーン４７６の画像データを取り込み続けてよい（ブロックＢ５０２）。しかしながら、小包が引き渡しゾーン４７６に置かれていると判断された場合、プロセス５００は、通信モジュール４４０を使用し、小包が引き渡しゾーン４７６に置かれている旨の通知をユーザーのクライアントデバイスに送信すること（ブロックＢ５０６）を含んでよい。
【０１６３】
図２８をさらに参照すると、一部の実施形態では、小包がいつ引き渡しゾーン４７６に置かれたのかの判断（ブロックＢ５０４）は、第１のときに第２のカメラ４２４によって取り込まれた引き渡しゾーン４７６の画像データと、第１のときの後の第２のときに第２のカメラ４２４によって取り込まれた引き渡しゾーン４７６の画像データとを比較することを含んでよい。さらに、小包が引き渡しゾーン４７６に置かれた旨の判断（ブロックＢ５０４）は、小包の上または中に位置するＡＩＤＣデータを使用することを含んでよい。上述したように、ＡＩＤＣデータは、バーコード、マトリックスコード、及び／またはボーコードを含んでよい（が、これに限定されるものではない）。係る実施形態では、第２のカメラ４２４により取り込まれた引き渡しゾーンの画像データは、ＡＩＤＣデータを含んでよい。一部の実施形態では、小包の上または中のＡＩＤＣデータは、小包が第２のカメラ４２４の視界に置かれる前に第１のカメラ４２２によって取り込まれてもよい。種々の実施形態では、ＡＩＤＣデータは、上述したようなＲＦＩＤデータを含んでよい。係る実施形態では、デュアルカメラＡ／Ｖ記録通信装置４０２は、小包の上または中に位置するアクティブＲＦＩＤタグまたはパッシブＲＦＩＤタグからＲＦＩＤデータ４６０を取り込むように構成されたＲＦＩＤ読み取り装置４４２を含んでよい。上述したように、ＲＦＩＤ読み取り装置４４２は、電磁場を使用することによって小包に位置するパッシブＲＦＩＤタグを調査するように構成されてよく、パッシブＲＦＩＤタグは、ＲＦＩＤ読み取り装置４４２の調査電波からエネルギーを収集し、配達されている小包に関してＲＦＩＤ読み取り装置４４２に記憶されている情報を電子的に返してよい。他の実施形態では、ＲＦＩＤ読み取り装置４４２は、アクティブＲＦＩＤタグからＲＦＩＤデータ４６０を取り込むように構成されてよく、アクティブＲＦＩＤタグは、例えば電池（であるが、これに限定されるものではない）等の局所的な電源を含み、配達されている小包に関してＲＦＩＤ読み取り装置４４２に記憶されている情報を電子的に返してよい。パッシブＲＦＩＤタブ及び／またはアクティブＲＦＩＤタグは、小包の外面上に置かれること、小包の中に置かれること、及び／または小包に取り付けられることを含み、小包に取り付けられてよい。通常、ＲＦＩＤデータ４６０は、ＲＦＩＤタグが第２のカメラ４２４及び／または第１のカメラ４２２の視界の中になくてもＲＦＩＤ読み取り装置４４２によって取り込まれてよい。ＲＦＩＤ読み取り装置４４２によって得られる情報は、例えば本明細書に説明するプロセスのいずれか等、１つ以上の以後のプロセスで使用されてよい。
【０１６４】
図２９は、デュアルカメラＡ／Ｖ記録通信装置４０２を使用し、引き渡しゾーン４７６を監視するためのプロセス５１０の別の実施形態を示すフローチャートである。プロセス５１０は、通信モジュール４４０を使用し、小包追跡データを受け取ること（ブロックＢ５１２）を含んでよい。小包追跡データは、例えば小包運送業者（例えば、ＵＳＰＳ、ＵＰＳ、ＦｅｄＥｘ、ＤＨＬ等）から受け取られてよい。小包追跡データは、例えば予想配達日時、小包が発生した場所、小包が輸送中止まった１つ以上の場所、及び／または小包と関連付けられた１つ以上の配達運送業者についての情報等（であるが、これに限定されるものではない）小包に関する情報を提供してよい。
【０１６５】
一部の実施形態では、受け取られた小包追跡データ、特に予想配達日時は、デュアルカメラＡ／Ｖ記録通信装置４０２の電力消費を削減するために有利に使用されてよい。例えば、デュアルカメラＡ／Ｖ記録通信装置４０２の第２のカメラ４２４は、受け取った小包追跡データに基づいて、小包の予想配達時刻まで低電力モードに設定されてよい（ブロックＢ５１４）。電池電力を節約することは、デュアルカメラＡ／Ｖ記録通信装置４０２が電池の充電の間でより長い期間動作できるようにするため、第２のカメラ４２４を低電力モードに保つことは、電源として電池を使用するデュアルカメラＡ／Ｖ記録通信装置４０２の実施形態にとって特に有利であってよい。
【０１６６】
図２９をさらに参照すると、ブロックＢ５１６で、第２のカメラ４２４は、小包の予想配達時間の前の所定の時間にアクティブモードに遷移してよい。一部の実施形態では、小包の予想配達時間の前の所定の時間は、予定配達時間ウィンドウの始まりの前の設定された時間の長さを含んでよい。例えば、予想配達時間が午後１２時と午後４時との間である場合、第２のカメラ４２４がアクティブモードに遷移してよい所定の時間は、予想配達時間ウィンドウの始まりの１時間前、つまり午前１１時を含んでよい。第２のカメラ４２４は、次いで、予想配達時間ウィンドウ全体を通して、及び／または配達された小包が引き渡しゾーン４７６から取り除かれたと判断されるまでアクティブモードにとどまってよい。図２９をさらに参照すると、第２のカメラ４２４がアクティブモードに遷移した後、プロセスは、図２８のブロックＢ５０２に進んでよく、そこで現在アクティブな第２のカメラ４２４が引き渡しゾーン４７６の画像データを取り込んでよい。
【０１６７】
図３０は、デュアルカメラＡ／Ｖ記録通信装置４０２を使用し、引き渡しゾーン４７６を監視するためのプロセス５２０の別の実施形態を示すフローチャートである。プロセス５２０は、第２のカメラ４２４を使用し、引き渡しゾーン４７６の画像データを取り込むこと（ブロックＢ５２２）を含んでよく、第２のカメラ４２４は、上述したように、引き渡しゾーン４７６を含む視界を有するように構成されてよい。また、プロセス５２０は、以下にさらに説明するように、第２のカメラ４２４により取り込まれた引き渡しゾーン４７６の画像データを使用し、小包がいつ引き渡しゾーン４７６から取り除かれたのかを判断すること（ブロックＢ５２４）を含んでもよい。小包が引き渡しゾーン４７６から取り除かれていないと判断される場合、次いでプロセス５２０は、第２のカメラ４２４を使用し、引き渡しゾーン４７６の画像データを取り込み続けてよい（ブロックＢ５２２）。しかしながら、小包が引き渡しゾーン４７６から取り除かれていると判断される場合、プロセス５２０は、小包の引き渡しゾーン４７６からの除去が許可されていたかどうかをさらに判断すること（ブロックＢ５２６）を含んでよい。小包の引き渡しゾーンからの除去が許可されていたと判断される場合、次いでプロセス５２０は、完了してよい。しかしながら、小包の引き渡しゾーン４７６からの除去が許可されていなかったと判断される場合、次いでプロセス５２０は、少なくとも１つのアラートを生成すること（ブロックＢ５２８）を含んでよい。一部の実施形態では、プロセス５２０は、生成された少なくとも１つのアラートに対応して、デュアルカメラＡ／Ｖ記録通信装置４０２のスピーカ４４４を使用し、音声記録を再生すること（ブロックＢ５３０）をさらに含んでよい。音声記録は、例えば小包の引き渡しゾーン４７６からの除去が記録されていた（またはされている）旨の口頭の警告を含んでよい。一部の実施形態では、プロセス５２０は、通信モジュール４４０を使用し、生成された少なくとも１つのアラートをユーザーのクライアントデバイス４０６に送信すること（ブロックＢ５３２）を含んでもよい。
【０１６８】
図３０をさらに参照すると、一部の実施形態では、小包が引き渡しゾーン４７６から取り除かれた旨の判断（ブロックＢ５２４）は、第１のときに第２のカメラ４２４によって取り込まれた引き渡しゾーン４７６の画像データと、第１のときの後の第２のときに第２のカメラ４２４によって取り込まれた引き渡しゾーン４７６の画像データとを比較することを含んでよい。さらに、小包が引き渡しゾーン４７６から取り除かれた旨の判断（ブロックＢ５２４）は、上述したように、小包の上または中に位置するＡＩＤＣデータを使用することを含んでもよい。上述したように、ＡＩＤＣデータは、バーコード、マトリックスコード、及び／またはボーコードを含んでよい（が、これに限定されるものではない）。一部の実施形態では、ＡＩＤＣデータは、上述したようなＲＦＩＤデータを含んでもよい。係る実施形態では、デュアルカメラＡ／Ｖ記録通信装置４０２は、上述したように、小包の上に位置するアクティブＲＦＩＤタグ及び／またはパッシブＲＦＩＤタグからＲＦＩＤデータを取り込むように構成されたＲＦＩＤ読み取り装置４４２を含んでよい。
【０１６９】
上述したように、本実施形態は、引き渡しゾーンを監視し、小包窃盗を抑止するために、及び／または小包窃盗犯を識別し、逮捕するためにデュアルカメラＡ／Ｖ記録通信装置の機能性を有利に利用する。種々の実施形態は、１つ以上の小包が、いつ引き渡しゾーンに置かれたのか、及び／またはいつ引き渡しゾーンから取り除かれたのかを判断してよい。１つ以上の小包が引き渡しゾーンに置かれる及び／または引き渡しゾーンから取り除かれるとき、種々の実施形態は、係る除去が許可されていたかどうかを判断し、所望される場合、アラートを生成してよい。ユーザーは、次いで、アラートに応えて、例えば法執行機関に通報する、及び／または例えばソーシャルメディアを介して小包窃盗のビデオ映像を共用する等、何かある場合、何をするのかを判断してよい。
【０１７０】
図３１は、本開示の種々の態様に従って本実施形態が実施され得るクライアントデバイス８００の機能ブロック図である。図１を参照して説明したユーザーのクライアントデバイス１１４は、クライアントデバイス８００の構成要素及び／または機能性の一部または全てを含んでもよい。クライアントデバイス８００は、例えばスマートフォンを含んでよい。
【０１７１】
図３１を参照すると、クライアントデバイス８００は、プロセッサ８０２、メモリ８０４、ユーザーインタフェース８０６、通信モジュール８０８及びデータポート８１０も含む。それらの構成要素は、相互接続バス８１２によって互いに通信可能に結合される。プロセッサ８０２は、ＡＲＭプロセッサ（Ａｄｖａｎｃｅｄ  ＲＩＳＣ  Ｍａｃｈｉｎｅｓ（ＡＲＭ）によって開発された（ＲＩＳＣ（縮小命令セットコンピュータ）アーキテクチャに基づいたプロセッサ）など、スマートフォン及び／またはポータブルコンピューティングデバイスにおいて使用されるいずれのプロセッサを含んでもよい。一部の実施形態では、プロセッサ８０２は、１つ以上の従来のマイクロプロセッサなどの１つ以上の他のプロセッサ、及び／または計算コプロセッサなどの１つ以上の補助的なコプロセッサを含む場合もある。
【０１７２】
メモリ８０４は、ランダムアクセスメモリ（ＲＡＭ）などのオペレーティングメモリ、ならびにリードオンリメモリ（ＲＯＭ）、ハードドライブ、フラッシュメモリまたは任意の他の適切なメモリ／記憶素子などのデータストレージの両方を含んでよい。メモリ８０４は、コンパクトフラッシュ（登録商標）カード、マルチメディアカード（ＭＭＣ）及び／またはセキュアデジタル（ＳＤ）カードなど着脱可能メモリ素子を含んでもよい。一部の実施形態では、メモリ８０４は、磁気メモリ、光学メモリ及び／または半導体メモリの組み合わせを含んでよく、例えば、ＲＡＭ、ＲＯＭ、フラッシュドライブ及び／またはハードディスクもしくはドライブを含む場合がある。プロセッサ８０２及びメモリ８０４は各々、例えば、単一のデバイス内に全体的に位置してもよく、またはＵＳＢポート、シリアルポートケーブル、同軸ケーブル、イーサネット（登録商標）タイプケーブル、電話線、無線周波数送受信機、もしくは他の同様の無線もしくは有線媒体、または上述の組み合わせなど、通信媒体によって相互に接続されてもよい。例えば、プロセッサ８０２は、データポート８１０を介してメモリ８０４に接続されてもよい。
【０１７３】
ユーザーインタフェース８０６は、キーパッド、ディスプレイスクリーン、タッチスクリーン、マイクロフォン、及びスピーカなど、スマートフォン及び／またはポータブルコンピューティングデバイスに適切ないずれかのユーザーインタフェースまたは提示要素を含んでもよい。通信モジュール８０８は、クライアントデバイス８００と他の外部デバイスまたは受信機との間の通信リンクを取り扱い、着信／発信データを適切に経路指定するように構成される。例えば、データポート８１０からのインバウンドデータは、プロセッサ８０２に誘導される前に通信モジュール８０８を通じて経路指定されてよく、プロセッサ８０２からのアウトバウンドデータは、データポート８１０に誘導される前に通信モジュール８０８を通じて経路指定されてよい。通信モジュール８０８は、データを送受信することが可能であり、かつ例えばＧＳＭ（登録商標）、ＵＭＴＳ（３ＧＳＭ）、ＩＳ−９５（ＣＤＭＡ１）、ＩＳ−２０００（ＣＤＭＡ２０００）、ＬＴＥ、ＦＤＭＡ、ＴＤＭＡ、Ｗ−ＣＤＭＡ、ＣＤＭＡ、ＯＦＤＭＡ、Ｗｉ−Ｆｉ、ＷｉＭＡＸ、あるいは任意の他のプロトコル及び／または技術など１つまたは複数のプロトコル及び／または技術を使用することが可能な１つ以上のトランシーバモジュールを含んでよい。
【０１７４】
データポート８１０は、例えばミニＵＳＢポートまたはＩＰＨＯＮＥ（登録商標）／ＩＰＯＤ（登録商標）３０−ピンコネクタまたはＬＩＧＨＴＮＩＮＧ（登録商標）コネクタ等のスマートフォン及び／またはポータブルコンピューティングデバイスと物理的にインタフェース接続するのに使用される任意のタイプのコネクタであってよい。他の実施形態では、データポート８１０は、例えば他のプロセッサ、サーバ及び／またはクライアント端末との同時通信のために複数の通信チャネルを含んでもよい。
【０１７５】
メモリ８０４は、コンピュータなどの他のシステムと通信するための命令を記憶してもよい。メモリ８０４は、例えば、本実施形態に従ってプロセッサ８０２に命令するように適合されたプログラム（例えば、コンピュータプログラムコード）を記憶してもよい。命令はまた、オペレーティングシステムなどのプログラム要素を含んでもよい。プログラムにおける一連の命令の実行によって、プロセッサ８０２が本明細書で説明される処理ステップを実行するが、本実施形態の処理の実施のためのソフトウェア／ファームウェア命令の代わりに、またはそれとの組み合わせで配線接続回路が使用されてもよい。したがって本実施形態は、ハードウェア及びソフトウェアのいずれかの特定の組み合わせに限定されない。
【０１７６】
図３２は、本開示の種々の態様に従って本実施形態が実施され得る汎用コンピューティングシステムの機能ブロック図である。コンピュータシステム９００は、パーソナルコンピュータ（デスクトップコンピュータとも称される）９００Ａ、ポータブルコンピュータ（ラップトップコンピュータもしくはノートブックコンピュータとも称される）９００Ｂ及び／またはサーバ９００Ｃのうちの少なくとも１つにおいて具体化されてよい。サーバは、他のマシンまたはソフトウェア（クライアント）からの要求を待ち、それらに応答するコンピュータプログラム及び／またはマシンである。サーバは、通常データを処理する。サーバの目的は、クライアント間でデータ及び／またはハードウェア及び／またはソフトウェアリソースを共有することである。このアーキテクチャは、クライアント−サーバモデルと呼ばれる。クライアントは、同一のコンピュータ上で実行する場合もあれば、ネットワークを介してサーバに接続する場合もある。コンピューティングサーバの実施例は、データベースサーバ、ファイルサーバ、メールサーバ、プリントサーバ、ウェブサーバ、ゲームサーバ及びアプリケーションサーバを含む。サーバという用語は、１つまたは複数のクライアント処理に対して１つのリソースを共有する任意のコンピュータ化された処理を含むように広義に解釈されてよい。
【０１７７】
コンピュータシステム９００は、上記に説明した動作のうちの少なくとも一部を実行してよい。コンピュータシステム９００は、少なくとも１つのプロセッサ９１０、メモリ９２０、少なくとも１つの記憶装置９３０、及び入力／出力（Ｉ／Ｏ）デバイス９４０を含んでもよい。構成要素９１０、９２０、９３０、９４０の一部または全ては、システムバス９５０を介して相互接続されてもよい。プロセッサ９１０は、シングルスレッドまたはマルチスレッドであってよく、１つまたは複数のコアを有してよい。プロセッサ９１０は、メモリ９２０及び／または記憶装置９３０に記憶されたものなどの命令を実行してよい。情報は、１つ以上のＩ／Ｏデバイス９４０を使用して受信及び出力されてよい。
【０１７８】
メモリ９２０は、情報を記憶してもよく、揮発性または不揮発性メモリなどのコンピュータ可読媒体であってもよい。記憶装置（複数可）９３０は、システム９００についての記憶を提供する場合があり、コンピュータ可読媒体であってもよい。様々な態様では、記憶装置（複数可）９３０は、フラッシュメモリデバイス、ハードディスクデバイス、光ディスクデバイス、テープデバイス、またはいずれかの他のタイプの記憶装置であってもよい。
【０１７９】
Ｉ／Ｏデバイス９４０は、システム９００についての入力／出力操作を提供する場合がある。Ｉ／Ｏデバイス９４０は、キーボード、ポインティングデバイス、及び／またはマイクロフォンを含んでもよい。Ｉ／Ｏデバイス９４０はさらに、グラフィカルユーザーインタフェースを表示するためのディスプレイユニット、スピーカ、及び／またはプリンタを含んでもよい。外部データは、１つまたは複数のアクセス可能な外部データベース９６０に記憶されてよい。
【０１８０】
本明細書に記載される本実施形態の特徴は、デジタル電子回路網で、及び／またはコンピュータハードウェア、ファームウェア、ソフトウェアで及び／またはその組み合わせで実施されてよい。本実施形態の特徴は、プログラム可能なプロセッサによる実行のために、機械可読記憶装置などの情報搬送波において、及び／または伝播信号において有形的に具体化されたコンピュータプログラム製品において実現されてよい。本方法ステップの実施形態は、入力データに関して動作し、出力を生成することによって、説明した実装態様の機能を実行するために命令のプログラムを実行するプログラム可能なプロセッサによって実施されてよい。
【０１８１】
本明細書に記載する本実施形態の特徴は、データストレージシステムからのデータ及び／または命令を受け取り、データストレージシステムにデータ及び／または命令を送信するように結合された少なくとも１つのプログラム可能なプロセッサ、少なくとも１つの入力装置、及び少なくとも１つの出力装置を含んだプログラム可能なシステム上で実行可能である１つまたは複数のコンピュータプログラムにおいて実現されてよい。コンピュータプログラムは、特定の動作を実行する、または特定の結果を引き起こすためにコンピュータにおいて直接または間接的に使用されてよい命令セットを含んでよい。コンピュータプログラムは、コンパイル言語またはインタプリタ言語を含むいずれかの形式のプログラミング言語で記述されてもよく、それは、スタンドアロンプログラムもしくはモジュール、コンンポーネント、サブルーチン、またはコンピューティング環境における使用に適切な他のユニットとして含む、いずれかの形式において開発されてもよい。
【０１８２】
命令のプログラムの実行に適切なプロセッサは、例えば、汎用プロセッサ及び特殊目的プロセッサの両方、及び／またはいずれかの種類のコンピュータの単一のプロセッサもしくは複数のプロセッサのうちの１つを含んでもよい。概して、プロセッサは、リードオンリメモリ（ＲＯＭ）、ランダムアクセスメモリ（ＲＡＭ）、またはその両方から命令及び／またはデータを受信してもよい。そのようなコンピュータは、命令を実行するためのプロセッサ、ならに命令及び／またはデータを記憶するための１つ以上のメモリを含んでもよい。
【０１８３】
概して、コンピュータはまた、データファイルを記憶するための１つ以上の大容量記憶装置を含んでもよく、または１つ以上の大容量記憶装置と通信するように動作可能に結合されてもよい。そのようなデバイスは、内部ハードディスク及び／または着脱可能ディスクなどの磁気ディスク、磁気−光ディスク、及び／または光ディスクを含む。コンピュータプログラム命令及び／またはデータを有形的に具体化するために適切な記憶装置は、例えば、ＥＰＲＯＭ、ＥＥＰＲＯＭ、及びフラッシュメモリデバイスなどの半導体メモリデバイス、内部ハードディスク及び着脱可能ディスクなどの磁気ディスク、磁気−光ディスク、ならびにＣＤ−ＲＯＭ及びＤＶＤ−ＲＯＭディスクを含む、全ての形式の不揮発性メモリを含んでもよい。プロセッサ及びメモリは、１つまたは複数のＡＳＩＣ（特定用途向け集積回路）によって補完されてよい、または１つまたは複数のＡＳＩＣに組み込まれる場合もある。
【０１８４】
ユーザーとの対話を提供するために、本実施形態の特徴は、ユーザーに情報を表示するために、例えばＬＣＤ（液晶ディスプレイ）モニタ等の表示装置を有するコンピュータ上で実現されてよい。コンピュータはさらに、キーボード、マウスもしくはトラックボールなどのポインティングデバイス、及び／またはタッチスクリーンを含んでもよく、それによって、ユーザーは、コンピュータに入力を提供してもよい。
【０１８５】
本実施形態の特徴は、例えばデータサーバなどのバックエンドコンポーネントを含む、及び／または例えばアプリケーションサーバもしくはインターネットサーバなどのミドルウェアコンポーネントを含む、及び／または例えばグラフィカルユーザーインタフェース（ＧＵＩ）及び／またはインターネットブラウザを有するクライアントコンピュータなどのフロントエンドコンポーネントを含むコンピュータシステムにおいて、またはこれらの任意の組み合わせにおいて実現されてよい。システムの構成要素は、通信ネットワークなど、デジタルデータ通信の任意の形式または媒体によって接続されてよい。通信ネットワークの実施例は、例えばＬＡＮ（ローカルエリアネットワーク）、ＷＡＮ（広域ネットワーク）及び／またはインターネットを形成するコンピュータ及びネットワークを含んでよい。
【０１８６】
コンピュータシステムは、クライアントと、サーバを含む場合もある。クライアント及びサーバは、相互にリモートであってもよく、本明細書で説明されるネットワークなどのネットワークを通じて対話してもよい。クライアントと、サーバとの関係は、それぞれのコンピュータ上で稼働し、相互にクライアント−サーバの関係を有するコンピュータプログラムによって生じてよい。
【０１８７】
上記の説明は、これらの実施形態が属する分野の任意の当業者がそれらを実施することが可能にするために、係る完全で明白、簡潔かつ正確な用語で、本実施形態を実施するために意図された、本実施形態を実施する方法及びプロセスの最善の態様を提示する。しかしながら、本実施形態は、完全に均等である上記で議論されたものからの修正形態及び代替の構成の影響を受ける。その結果として、本発明は、開示される特定の実施形態に限定されない。むしろ、本発明は、本開示の精神及び範囲内にある全ての修正形態及び代替の構成も網羅する。例えば、本明細書で説明される処理におけるステップは、それらが提示されたのと同一の順序で実行される必要はなく、いずれかの順序（複数可）で実行されてもよい。さらに、別個に実行されるとして提示されたステップは、代替的な実施形態では、同時に実行されてもよい。同様に、同時に実行されるとして提示されたステップは、代替的な実施形態では、別個に実行されてもよい。
【図１】
2019535067.tif 000003
【図２】
2019535067.tif 000004
【図３】
2019535067.tif 000005
【図４】
2019535067.tif 000006
【図５】
2019535067.tif 000007
【図６】
2019535067.tif 000008
【図７】
2019535067.tif 000009
【図８】
2019535067.tif 000010
【図９】
2019535067.tif 000011
【図１０】
2019535067.tif 000012
【図１１】
2019535067.tif 000013
【図１２】
2019535067.tif 000014
【図１３】
2019535067.tif 000015
【図１４】
2019535067.tif 000016
【図１５】
2019535067.tif 000017
【図１６】
2019535067.tif 000018
【図１７】
2019535067.tif 000019
【図１８】
2019535067.tif 000020
【図１９】
2019535067.tif 000021
【図２０】
2019535067.tif 000022
【図２１】
2019535067.tif 000023
【図２２】
2019535067.tif 000024
【図２３】
2019535067.tif 000025
【図２４】
2019535067.tif 000026
【図２５】
2019535067.tif 000027
【図２６】
2019535067.tif 000028
【図２７】
2019535067.tif 000029
【図２８】
2019535067.tif 000030
【図２９】
2019535067.tif 000031
【図３０】
2019535067.tif 000032
【図３１】
2019535067.tif 000033
【図３２】
2019535067.tif 000034
【国際調査報告】
2019535067.tif 000035
2019535067.tif 000036
2019535067.tif 000037
2019535067.tif 000038
2019535067.tif 000039
2019535067.tif 000040
2019535067.tif 000041
2019535067.tif 000042
2019535067.tif 000043
2019535067.tif 000044